(57)【要約】【課題】観測対象を撮像した静止画像から観測対象の動きを時間の経過にあわせて提示可能な動画像を生成する。【解決手段】ステップＳ２９２では、ユーザによる設定入力処理の結果に基づき、時間順に撮像された複数の静止画像に対して、次の静止画像が撮像されるまでの撮像間隔に比例した時間割当てを行い、静止画像毎に割り当てられた表示時間を示す定点観測表示画像リストを生成する。ステップＳ２９３では、定点観測表示画像リストに基づき、複数の静止画像の画像データを、時間順にそれぞれ割り当てられた時間だけ繰り返して用いて動画像の画像データを生成する。動画像の画像データでは、観測対象の動きが時間の経過にあわせて示されたものとなる。したがって、生成された動画像の画像データを用いれば、観測対象の動きを時間の経過にあわせて提示することができる。【選択図】        図９
2009272790.tif 000002
【特許請求の範囲】
【請求項１】
時間順に撮像された複数の静止画像に対して、次の静止画像が撮像されるまでの撮像間隔に比例した時間割当てを行う決定部と、
前記複数の静止画像の画像データを、前記時間順にそれぞれ割り当てられた時間だけ繰り返して用いて動画像の画像データを生成する再生制御部と
を有する画像処理装置。
【請求項２】
ユーザ操作に応じて入力信号を生成する入力部を備え、
前記決定部は、前記入力信号に基づき動画表示時間の指定が行われたことを判別したとき、前記動画表示時間を前記撮像間隔に応じて区分することで前記時間割当てを行う
請求項１記載の画像処理装置。
【請求項３】
前記決定部は、前記入力信号に基づき前記静止画像に対する最短時間の指定が行われたことを判別したとき、最も短い前記撮像間隔に対して前記最短時間を割り当てて、他の撮像間隔に対しては前記最も短い撮像間隔に対する割合に応じて時間割当てを行う
請求項２記載の画像処理装置。
【請求項４】
前記決定部は、前記動画表示時間を前記静止画像の数で等分して得た時間を最後の静止画像に対して割り当てるものとし、残りの表示時間を前記撮像間隔に応じて区分することで他の静止画像に対して時間割当てを行う
請求項２記載の画像処理装置。
【請求項５】
前記決定部は、最も短い前記撮像間隔に対する最初に撮像された静止画像から最後に撮像された静止画像までの全撮像間隔の割合を算出して、該割合と前記最短時間の乗算結果を前記静止画像の数で等分して最後の静止画像に割り当てる
請求項３記載の画像処理装置。
【請求項６】
表示部を備え、
前記決定部は、前記静止画像に対して時間割当てを行うことにより定まる前記動画像の表示時間を前記表示部で表示するものとし、
前記再生制御部は、前記入力信号に基づき前記動画像の表示時間の確認完了指示が行われたことを判別したとき、前記動画像の画像データの生成を行う
請求項３記載の画像処理装置。
【請求項７】
前記再生制御部は、前記動画像の表示期間を示す画像に前記静止画像の切り換えが行われる位置を相対的に示す識別表示を設けた再生情報画像を生成して、該再生情報画像を前記動画像に合成する
請求項１記載の画像処理装置。
【請求項８】
前記再生制御部は、前記再生情報画像に前記動画像の再生位置を相対的に示す識別表示を設けた
請求項７記載の画像処理装置。
【請求項９】
前記再生制御部は、前記動画像の再生位置で用いられている静止画像の撮像日時を示す再生情報画像を生成して、該再生情報画像を前記動画像に合成する
請求項１記載の画像処理装置。
【請求項１０】
時間順に撮像された複数の静止画像に対して、次の静止画像が撮像されるまでの撮像間隔に比例した時間割当てを行う工程と、
前記複数の静止画像の画像データを、前記時間順にそれぞれ割り当てられた時間だけ繰り返して用いて動画像の画像データを生成する工程と
を有する画像処理方法。
【請求項１１】
静止画像の画像データを動画像の画像データに変換するコンピュータ装置で実行させるコンピュータ・プログラムであり、
時間順に撮像された複数の静止画像に対して、次の静止画像が撮像されるまでの撮像間隔に比例した時間割当てを行うステップと、
前記複数の静止画像の画像データを、前記時間順にそれぞれ割り当てられた時間だけ繰り返して用いて動画像の画像データを生成するステップと
を実行させるコンピュータ・プログラム。
【請求項１２】
静止画像の画像データを生成する撮像部と、
前記静止画像の画像データを記録する記録部と、
時間順に撮像された複数の静止画像に対して、次の静止画像が撮像されるまでの撮像間隔に比例した時間割当てを行う決定部と、
前記複数の静止画像の画像データを、前記時間順にそれぞれ割り当てられた時間だけ繰り返して用いて動画像の画像データを生成する再生制御部と
を有する撮像装置。
【発明の詳細な説明】
【技術分野】
【０００１】
この発明は画像処理装置と画像処理方法とコンピュータ・プログラムおよび撮像装置に関する。詳しくは、撮像装置を用いて定点観測を行うことで得られた複数の静止画像から動画像を生成するとき、観測対象の動きが時間の経過に対応したものとなるように動画像を生成するものである。
【背景技術】
【０００２】
従来、定点観測では撮像装置を用いて観測対象をユーザの所望する時間間隔で撮像して、所望する時間間隔の静止画像を得ることが行われている。また、時間の経過に伴い観測対象がどのように変化したかを容易に把握できるように、撮像時間順の静止画像から動画像を生成することが行われる。
【０００３】
静止画像から動画像を生成する場合、特許文献１の発明では、コマ撮りを行うことにより静止画像データを生成して、静止画像データの生成終了後に選択された記録レートに応じて静止画像データを合成することで、動画像データに変換することが行われている。また、動画像データに関連させて、記録レート等の情報を含む付帯情報の生成が行われている。
【０００４】
【特許文献１】特開２００５−１０９６４８号公報
【発明の開示】
【発明が解決しようとする課題】
【０００５】
ところで、特許文献１の発明では、静止画データを合成して選択された記録レートの動画像データに変換するものである。このため、観測対象を撮像したときの時間間隔が一定でない場合でも、動画像データでは時間間隔が一定で撮像された画像として表示される。したがって、例えば観測対象の動きが一定であっても、撮像の時間間隔が長いときには観測対象の動きが大きくなってしまい、観測対象の動きを正しく再現できない。
【０００６】
そこで、観測対象の動きを時間の経過にあわせて提示可能とする画像処理装置と画像処理方法および撮像装置を提供するものである。
【課題を解決するための手段】
【０００７】
この発明の概念は、複数の静止画像を撮像時間順に用いて動画像を生成する場合、撮像間隔に比例させて各静止画像のコマ数を割り当てることで、観測対象の動きを時間の経過にあわせて提示可能とすることにある。
【０００８】
この発明の第１の側面は、時間順に撮像された複数の静止画像に対して、次の静止画像が撮像されるまでの撮像間隔に応じて時間割当てを行う決定部と、複数の静止画像の画像データを、時間順にそれぞれ割り当てられた時間だけ繰り返して用いて動画像の画像データを生成する再生制御部とを有する画像処理装置にある。また、カテゴリーのみ相違する画像処理方法とコンピュータ・プログラムにある。
【０００９】
この発明において、複数の静止画像としては例えば定点観測のために撮像された静止画像が用いられる。決定部は、ユーザ操作に応じて生成された入力信号に基づき動画表示時間の指定が行われたことを判別したとき、動画表示時間を撮像間隔に応じて区分することで時間割当てを行う。ここで、最後の静止画像に対しては、例えば動画表示時間を静止画像の数で等分して得た時間を割り当てるものとして、残りの表示時間を撮像間隔に応じて区分することで他の静止画像に対して時間割当てを行う。
【００１０】
また、決定部は、静止画像に対する最短時間の指定が行われたことを判別したとき、最も短い撮像間隔に対して最短時間を割り当てて、他の撮像間隔に対しては最も短い撮像間隔に対する割合に応じて時間割当てを行う。また、最後の静止画像に対しては、例えば最も短い撮像間隔に対する最初に撮像された静止画像から最後に撮像された静止画像までの全撮像間隔の割合を算出して、この割合と最短時間の乗算結果を静止画像の数で等分して割り当てる。さらに、静止画像に対して時間割当てを行うことにより定まる動画像の表示時間を表示部で表示するものとし、動画像の表示時間の確認完了指示がユーザによって行われたことを判別したとき、再生制御部は動画像の画像データの生成を行う。
【００１１】
また再生制御部は、動画像の表示期間を示す画像に静止画像の切り換えが行われる位置や動画像の再生位置を相対的に示す識別表示を設けた再生情報画像を生成して、再生情報画像を動画像に合成する。また、動画像の再生位置で用いられている静止画像の撮像日時を示す再生情報画像を生成して、再生情報画像を動画像に合成する。
【００１２】
なお、本発明のコンピュータ・プログラムは、例えば、様々なプログラム・コードを実行可能な汎用コンピュータ・システムに対して、コンピュータ可読な形式で提供する記憶媒体、通信媒体、例えば磁気ディスクや光ディスクや半導体メモリなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００１３】
この発明の第２の側面は、静止画像の画像データを生成する撮像部と、静止画像の画像データを記録する記録部と、時間順に撮像された複数の静止画像に対して、次の静止画像が撮像されるまでの撮像間隔に比例した時間割当てを行う決定部と、複数の静止画像の画像データを、時間順にそれぞれ割り当てられた時間だけ繰り返して用いて動画像の画像データを生成する再生制御部とを有する撮像装置にある。
【発明の効果】
【００１４】
この発明によれば、時間順に撮像された複数の静止画像に対して、次の静止画像が撮像されるまでの撮像間隔に比例した時間割当てが行われて、複数の静止画像の画像データが、時間順にそれぞれ割り当てられた時間だけ繰り返して用いられて動画像の画像データが生成される。このため、生成された動画像の画像データを用いることで、観測対象の動きを時間の経過にあわせて提示することができる。
【発明を実施するための最良の形態】
【００１５】
以下、図面を参照して本発明を適用した実施の形態について説明する。図１は、本発明を適用した画像処理装置の外観を例示している。この画像処理装置１１は、例えば、静止画像や動画像を撮像するデジタルスチルカメラ、デジタルビデオカメラなどに適用することができる。
【００１６】
画像処理装置１１は、本体２１および本体２２を有している。本体２１および／または本体２２には、種々の操作を行うためのボタン等が設けられている。ユーザは、本体２１を把持し、本体２１または本体２２に設けられたボタン等を操作する。画像処理装置１１は、ユーザの操作に応じて、静止画像や動画像の撮像またはそれらの再生を行う。
【００１７】
なお、以下の説明において、静止画像および動画像を特に区別する必要のない場合には、単に画像と称する。また、撮像を行って動画像データを得る場合に限らず静止画像データを得る場合も含めて、画像を撮像するというものとする。
【００１８】
本体２１には、モード切換ボタン６１とシャッタボタン６２および録画ボタン６３が設けられている。モード切換ボタン６１は、画像を撮像する記録モード、または画像を再生（表示）する再生モードを選択する（切り換える）ときに操作されるボタンである。シャッタボタン６２は、静止画像データを得るときに操作されるボタンである。録画ボタン６３は、動画像データを得るときに操作されるボタンである。
【００１９】
本体２２には、表示部４１、十字キー６５−１乃至十字キー６５−４、決定ボタン６６、シャトル６７が設けられている。表示部４１は、各種の設定を行うためのメニュー画面や撮像画像および再生画像等を表示するためのものである。表示部４１の図中右側に設けられている十字キー６５−１乃至十字キー６５−４は、メニュー項目や画像を選択するときに用いられる操作キーである。例えば、メニュー項目や画像とともにカーソルが表示部４１に表示されているとき、カーソルを所望の項目や画像の位置に移動させるときに用いられる。なお、十字キー６５−１乃至十字キー６５−４を個々に区別する必要のない場合、単に十字キー６５と称する。決定ボタン６６は、メニュー項目や画像の表示および選択したメニュー項目等を実行させるときに操作されるボタンである。例えば、十字キー６５が操作されてカーソルが所望のメニュー項目の位置とされているときに決定ボタン６６が操作されると、カーソルが位置するメニュー項目の処理が実行される。シャトル６７は、決定ボタン６６を中心に（決定ボタン６６を軸として）、図中矢印Ａ１１の方向に回動する構成とされている。シャトル６７は、回動した角度に応じてカーソルの移動などの処理を行わせるときに操作される。
【００２０】
また、本体２２は、本体２１に対して、決定ボタン６６を中心とし、図中、矢印Ａ１１の方向に回動させることができるように構成されている。例えば、ユーザは、本体２１を把持したまま本体２２を回動させて、ユーザに対する表示部４１の角度を調整することができるように構成されている。さらに、本体２１に対して本体２２が回動されると、本体２１と本体２２は互いに重なるように構成されている。例えば、ユーザは、本体２２を回動させて、本体２１と本体２２を重ねることによって、画像処理装置１１を小さくまとめることができ、容易に持ち運ぶことができるように構成されている。
【００２１】
本体２１において、モード切換ボタン６１、シャッタボタン６２、および録画ボタン６３が設けられている面とは反対側の面（対向する面）であって、決定ボタン６６と対向する位置には、図示せずも撮像レンズが設けられている。したがって、例えば、ユーザは、本体２１を把持して撮像レンズを観測対象に向け、表示部４１に表示される画像を見ながら撮像画角を確認し、シャッタボタン６２、または録画ボタン６３を操作して観測対象の撮像を行う。
【００２２】
図２は、画像処理装置１１の構成を示すブロック図である。画像処理装置１１には、撮像部３１、ＡＤ（Analog Digital）変換部３２，３４、マイクロフォン３３、信号処理部３５、ＲＡＭ（Random Access Memory）３６、出力部４０、圧縮伸張処理部３７、内部記録部３８、制御部５０、入力部６０、電源制御部７１、ＲＯＭ（Read Only Memory）７２、およびドライブ７３が設けられている。また、信号処理部３５、ＲＡＭ３６、出力部４０、圧縮伸張処理部３７、内部記録部３８、制御部５０、入力部６０、電源制御部７１、ＲＯＭ７２、およびドライブ７３は、バス７５を介して相互に接続されている。
【００２３】
撮像部３１は、撮像レンズや撮像素子例えばＣＣＤ(Charge Coupled Device)イメージセンサやＣＭＯＳ(Complementary Metal Oxide Semiconductor)イメージセンサなどを用いて構成されている。撮像部３１は、観測対象の撮像を行い画像信号を生成してＡＤ変換部３２に供給する。すなわち、撮像部３１の撮像素子は、図示せぬ撮像レンズを介して入射された光の量（光量）に応じた電荷を蓄積して、この蓄積された電荷量に応じた電圧信号を生成して、画像信号としてＡＤ変換部３２に供給する。また、撮像部３１は、フォーカス調整、絞り調整、シャッタスピードの切り換え等も行う。
【００２４】
マイクロフォン３３は、画像処理装置１１の周囲の音声を集音し、集音した音声を電気信号である音声信号に変換して、ＡＤ変換部３４に供給する。
【００２５】
ＡＤ変換部３２は、撮像部３１から供給されたアナログの画像信号を、デジタルの画像データに変換して信号処理部３５に供給する。ＡＤ変換部３４は、マイクロフォン３３から供給されたアナログの音声信号を、デジタルの音声データに変換して信号処理部３５に供給する。
【００２６】
信号処理部３５は、ＡＤ変換部３２から供給された画像データ、またはＡＤ変換部３４から供給された音声データに対して、必要に応じて種々の処理を行い、処理後の画像データまたは音声データをＲＡＭ３６に供給する。例えば、信号処理部３５は、ＡＤ変換部３２から供給された画像データを、輝度データ（Ｙ信号）と色差データ（Ｃｒ信号およびＣｂ信号）に変換する処理やガンマ補正処理などを行う。
【００２７】
ＲＡＭ３６は、信号処理部３５から供給された画像データまたは音声データを一時的に記憶し、記憶している画像データまたは音声データを、出力部４０または圧縮伸張処理部３７に供給する。また、ＲＡＭ３６には、制御部５０が実行するプログラムやデータなども適宜記憶される。
【００２８】
出力部４０は、表示部４１や音声出力部４２などで構成されている。例えば、出力部４０の表示部４１は、液晶ディスプレイなどから構成されており、ＲＡＭ３６を介して信号処理部３５から供給された画像データ、または圧縮伸張処理部３７から供給された画像データに基づき画像表示を行う。出力部４０の音声出力部４２は、圧縮伸張処理部３７から供給された音声データをアナログ信号に変換して、このアナログ信号に基づいて音声出力を行う。
【００２９】
圧縮伸張処理部３７は、ＲＡＭ３６から供給された画像データを所定の方式で圧縮する。また、圧縮伸張処理部３７は、圧縮されている画像データを、圧縮前の画像データに戻す伸張処理を行う。
【００３０】
ここで、静止画像データが生成される場合、圧縮伸張処理部３７は、ＲＡＭ３６から供給された静止画像データを、例えばＪＰＥＧ（Joint Photographic Experts Group）などの方式で圧縮処理して、圧縮静止画像データを生成する。さらに、圧縮伸張処理部３７は、圧縮静止画像データを、内部記録部３８に供給する。またはドライブ７３を介してリムーバブルメディア９１に供給する。なお、以下の説明では、内部記録部３８は例えば定点観測用として用いるものとして、リムーバブルメディア９１は例えば通常撮像用として用いるものとする。また、圧縮伸張処理部３７は、静止画像データによって表示される静止画像を縮小したサムネイル画像を示すサムネイル画像データを生成して、静止画像データおよびサムネイル画像データを内部記録部３８またはリムーバブルメディア９１に供給する。なお、以下の説明においては、静止画像データ、サムネイル画像データなどが含まれるファイルを静止画像ファイルと称する。
【００３１】
また、動画像データが生成される場合、圧縮伸張処理部３７は、ＲＡＭ３６から供給された動画像データを、例えばＭＰＥＧ（Moving Picture Experts Group phase）２、MPEG４などの方式で圧縮処理して、圧縮動画像データを生成する。また、圧縮伸張処理部３７は、ＲＡＭ３６から供給された音声データを、例えばＡＡＣ（Advanced Audio Coding）などの方式で圧縮処理して、圧縮音声データを生成する。圧縮伸張処理部３７は、圧縮動画像データおよび圧縮音声データを、内部記録部３８に供給する。また、ドライブ７３を介してリムーバブルメディア９１に供給する。また、圧縮伸張処理部３７は、動画像データによって表示される動画像を表すサムネイル画像（静止画像）のサムネイル画像データを生成して、動画像データ、音声データ、およびサムネイル画像データを内部記録部３８またはリムーバブルメディア９１に供給する。なお、以下の説明においては、動画像データ、音声データ、サムネイル画像データなどが含まれるファイルを動画像ファイルと称する。
【００３２】
さらに、圧縮伸張処理部３７は、内部記録部３８またはリムーバブルメディア９１から静止画像データ（静止画像ファイル）または動画像データ（動画像ファイル）を取得して、取得した静止画像データまたは動画像データと音声データを必要に応じて伸張して出力部４０に供給する。
【００３３】
内部記録部３８は、例えば、画像処理装置１１に内蔵されているハードディスク、不揮発性のフラッシュメモリなどを用いて構成されている。内部記録部３８は、圧縮伸張処理部３７から供給された静止画像データおよびサムネイル画像データを、静止画像ファイルとして記録する。また、内部記録部３８は、圧縮伸張処理部３７から供給された動画像データ、音声データ、およびサムネイル画像データを、動画像ファイルとして記録する。さらに、内部記録部３８は、記録している静止画像ファイルまたは動画像ファイルを読み出して圧縮伸張処理部３７に供給する。
【００３４】
制御部５０は、ＣＰＵ（Central Processing Unit）などを用いて構成されており、ＲＯＭ７２に記録されているプログラムを実行し、画像処理装置１１の全体を制御する。また、制御部５０は、入力部６０から供給された入力信号に応じて各部の制御を行う。例えば、制御部５０は、画像処理装置１１の動作が入力信号に応じた動作となるように、撮像部３１の撮像動作や信号処理部３５の信号処理動作および圧縮伸張処理部３７の圧縮伸張処理動作等の制御を行う。
【００３５】
入力部６０は、例えば、図１のモード切換ボタン６１、シャッタボタン６２、録画ボタン６３、十字キー６５、決定ボタン６６、シャトル６７などから構成され、ユーザの操作に応じた入力信号を制御部５０に供給する。
【００３６】
電源制御部７１は、制御部５０から電力の供給が指示されると、図示せぬ電池、または画像処理装置１１に接続されている外部電源から画像処理装置１１の各部に電力を供給する。例えば、ユーザが画像処理装置１１の電源をオンすると、入力部６０はユーザの操作に応じて、制御部５０に電源がオンされた旨の入力信号を供給する。このとき、制御部５０は、入力部６０からの入力信号に応じて、電源制御部７１に電力の供給を指示する。したがって、制御部５０の指示に応じて電源制御部７１から画像処理装置１１の各部に電力の供給が開始されて、画像処理装置１１を動作状態とすることができる。
【００３７】
ＲＯＭ７２は、各種のプログラムおよびデータを記録し、記録しているプログラムまたはデータを制御部５０に供給する。ドライブ７３には、必要に応じてリムーバブルメディア９１が装着（接続）される。ドライブ７３は、リムーバブルメディア９１が装着されると、必要に応じてリムーバブルメディア９１に記録されているデータを読み出して、制御部５０または圧縮伸張処理部３７に供給したり、制御部５０または圧縮伸張処理部３７から供給されたデータを、リムーバブルメディア９１に供給して記録させたりする。
【００３８】
リムーバブルメディア９１は、例えば、不揮発性のフラッシュメモリ、磁気ディスク、光ディスク、光磁気ディスクなどから構成され、画像処理装置１１に着脱可能とされている。リムーバブルメディア９１は、画像処理装置１１から供給された静止画像ファイル、動画像ファイルなどの各種のデータ（ファイル）を記録する。また、リムーバブルメディア９１は、記録している静止画像ファイル、動画像ファイルなどの各種のデータを画像処理装置１１に供給する。
【００３９】
なお、以下、静止画像および動画像における場合と同様に、静止画像ファイルおよび動画像ファイルを特に区別する必要のない場合、単に画像ファイルと称する。
【００４０】
図３は、図２に示す制御部５０の機能ブロック図である。制御部５０は、撮像制御部５１、判定部５２、記録制御部５３、インデックスファイル更新部５４、決定部５５、および再生制御部５６を含むように構成されている。なお、撮像制御部５１、判定部５２、記録制御部５３、インデックスファイル更新部５４、決定部５５、および再生制御部５６のそれぞれは、互いにデータ（信号）を授受することが可能とされている。
【００４１】
撮像制御部５１は、撮像部３１の撮像動作を制御する。判定部５２は、入力部６０から供給される入力信号に基づいて、圧縮伸張処理部３７が生成した画像データ（画像ファイル）を、内部記録部３８またはリムーバブルメディア９１のいずれに記録するかを判定する。さらに、判定部５２は、入力部６０から供給される入力信号に基づいて、内部記録部３８またはリムーバブルメディア９１のいずれから画像ファイルを読み出すか判定する。
【００４２】
記録制御部５３は、圧縮伸張処理部３７を制御して、圧縮伸張処理部３７が生成した圧縮静止画像データおよびサムネイル画像データを、内部記録部３８またはリムーバブルメディア９１に供給させて、内部記録部３８またはリムーバブルメディア９１に静止画像ファイルとして記録させる。また、記録制御部５３は、圧縮伸張処理部３７を制御して、圧縮伸張処理部３７が生成した圧縮動画像データ、圧縮音声データ、およびサムネイル画像データを、内部記録部３８またはリムーバブルメディア９１に供給させて、内部記録部３８またはリムーバブルメディア９１に動画像ファイルとして記録させる。
【００４３】
インデックスファイル更新部５４は、内部記録部３８に記録されている画像ファイルを管理するためのインデックスファイルを更新する。インデックスファイルとは、例えば、内部記録部３８に記録されている画像ファイルのファイル名、露光値などの露光条件、撮像日時などを示す情報を含むファイルである。
【００４４】
決定部５５は、内部記録部３８に記録されているインデックスファイルを参照して、出力部４０の表示部４１に表示させる画像の表示順を決定し、その順番（表示順）を示すリストである表示画像リストを生成する。また、決定部５５は、時間順に撮像された複数の静止画像に対して、次の静止画像が撮像されるまでの撮像間隔に比例した時間割当てを行い、定点観測表示画像リストを生成する。ここで決定部５５は、ユーザ操作に応じて入力部６０で生成された入力信号に基づき動画表示時間の指定が行われたことを判別したとき、動画表示時間を撮像間隔に応じて区分することで時間割当てを行う。
【００４５】
再生制御部５６は、必要に応じて決定部５５が生成した表示画像リストを参照し、圧縮伸張処理部３７を制御することによって、内部記録部３８またはリムーバブルメディア９１に記録されている画像ファイルに含まれている画像の再生制御を行う。また、再生制御部５６は、定点観測表示画像リストを参照し、圧縮伸張処理部３７を制御することによって、例えば内部記録部３８に記録されている画像ファイルに含まれている静止画像の画像データを、時間順にそれぞれ割り当てられた時間だけ繰り返して用いて動画像の画像データを生成する再生制御を行う。
【００４６】
図４は、制御部５０で行われる撮像制御処理を示すフローチャートである。撮像制御処理は、前提として、ユーザがモード切換ボタン６１を操作することによって、観測対象を撮像するときの記録モードを選択し、シャッタボタン６２または録画ボタン６３を操作して撮像の開始を指示したときに行われる処理である。
【００４７】
ユーザがモード切換ボタン６１を操作して記録モードを選択し、さらに、入力部６０を操作して、撮像により得られる画像ファイルを記録する記録媒体として、定点観測用の内部記録部３８または通常撮像用のリムーバブルメディア９１を選択すると、画像処理装置１１は、観測対象を撮像して得られた画像を表示部４１に表示する。すなわち、画像処理装置１１は、いわゆるスルー画像を表示部４１に表示する。このように、スルー画像を表示することで、ユーザはスルー画像を参照して画角の確認を行うことができる。
【００４８】
ここで、記録モードに対応するシャッタボタン６２または録画ボタン６３を操作して撮像を指示すると、入力部６０は、ユーザの操作に応じた信号を制御部５０に供給する。制御部５０は、入力部６０から供給された信号が撮像の開始を指示する信号であると判別したとき、撮像制御処理を開始する。
【００４９】
ステップＳ１１で制御部５０の撮像制御部５１は、撮像部３１の撮像動作制御を行う。撮像制御部５１は、観測対象を撮像部３１で撮像させて、撮像部３１で得られた画像信号を、ＡＤ変換部３２を介して信号処理部３５に供給させる。また、撮像制御部５１は、信号処理部３５で画像データを輝度データと色差データ信号に変換する処理やガンマ補正処理などを行わせて、処理後の輝度データと色差データをＲＡＭ３６に保持させる。
【００５０】
ステップＳ１２で制御部５０の判定部５２は、生成する画像ファイルを定点観測用の内部記録部３８に記録させるか否かを判定する。判定部５２は、生成する画像ファイルを内部記録部３８に記録させると判定したときステップＳ１３に進み、リムーバブルメディア９１に記録させると判定したときステップＳ１６に進む。
【００５１】
例えば、ユーザがモード切換ボタン６１を操作して記録モードを選択し、その後、入力部６０を操作して画像ファイルを記録する記録媒体として、内部記録部３８を選択した場合、制御部５０の判定部５２は、入力部６０からの入力信号に基づき、画像ファイルを内部記録部３８に記録させると判定する。
【００５２】
このように構成することで、定点観測で撮像を行った場合と通常の撮像を行った場合とで、画像を記録する記録部を分けることが可能となり、ユーザは記録された画像の管理を容易に行うことができる。
【００５３】
ステップＳ１３で制御部５０の記録制御部５３は、画像データの圧縮制御を行う。ここで記録モードが静止画像である撮像画像を記録するモードに設定されている場合、記録制御部５３は圧縮静止画像データを圧縮伸張処理部３７で生成させる。すなわち、記録制御部５３によって制御された圧縮伸張処理部３７は、ＲＡＭ３６から静止画像データを取得して、この静止画像データをＪＰＥＧなどの方式で、ユーザにより予め設定されている圧縮率で圧縮して圧縮静止画像データを生成する。また、圧縮伸張処理部３７は、圧縮静止画像データを生成したとき、生成した圧縮静止画像データの画像を示すサムネイル画像データを生成する。
【００５４】
記録モードが動画像である撮像画像を記録するモードに設定されている場合、記録制御部５３は圧縮動画像データを圧縮伸張処理部３７で生成させる。すなわち、記録制御部５３によって制御された圧縮伸張処理部３７は、ＲＡＭ３６から動画像データを取得して、この動画像データをＭＰＥＧなどの方式で、ユーザにより予め設定されている圧縮率で圧縮して圧縮動画像データを生成する。また、圧縮伸張処理部３７は、ＲＡＭ３６から音声データを取得してＡＡＣ等の方式で圧縮して圧縮音声データを生成する。さらに、圧縮伸張処理部３７は、圧縮動画像データを生成すると、生成した圧縮動画像データが示す動画像から所定の静止画像を抽出してサムネイル画像データを生成する。
【００５５】
ステップＳ１４で制御部５０の記録制御部５３は、内部記録部３８への画像ファイルの記録制御を行う。記録制御部５３は、静止画像を撮像する記録モードに設定されている場合、圧縮伸張処理部３７で生成された圧縮静止画像データおよびサムネイル画像データを内部記録部３８に供給させる。また、記録制御部５３は、付属情報を生成して内部記録部３８に供給する。付属情報は、画像ファイルのファイル名、撮像日時、露光値、ＧＰＳ（Global Positioning System）によって取得された画像処理装置１１の位置情報などを含むものであり、付属情報として例えばＥｘｉｆ情報を用いる。さらに、記録制御部５３は、圧縮静止画像データとサムネイル画像データおよび付属情報を所望のフォーマット規格例えばＥｘｉｆ規格に準拠して内部記録部３８に記録させる。
【００５６】
また、記録制御部５３は、動画像を撮像する記録モードに設定されている場合、圧縮伸張処理部３７で生成された圧縮動画像データとサムネイル画像データを内部記録部３８に供給させる。また、記録制御部５３は、付属情報を生成して内部記録部３８に供給して、圧縮動画像データとサムネイル画像データおよび付属情報を所望のフォーマット規格に準拠して記録させる。なお、動画像ファイルには、圧縮伸張処理部３７で生成された圧縮音声データを含めるものとしてもよい。
【００５７】
内部記録部３８に画像ファイルを記録する場合、画像ファイルは１つのフォルダ（トップフォルダ）に格納した構成として記録される。図５は、内部記録部３８に画像ファイルを記録する場合のトップフォルダの構成を例示している。トップフォルダ２０１は、画像ファイルを管理するためのインデックスファイル２０２と、例えば画像ファイル２０３−１乃至画像ファイル２０３−６を格納した構成とされている。
【００５８】
内部記録部３８は、リムーバブルメディア９１とは異なり、画像処理装置１１に内蔵されている記録媒体であるので、内部記録部３８がプリンタなどの印刷装置や、パーソナルコンピュータなどの画像処理装置１１とは異なる装置に装着されることはない。つまり、内部記録部３８が画像処理装置１１とは異なる装置に装着されて、内部記録部３８に記録されている画像ファイルがそれらの装置に読み出されることはない。したがって、印刷装置などの装置が、内部記録部３８に記録されている画像ファイルを認識できなくてもよいので、内部記録部３８に画像ファイルが記録される場合、画像ファイルのファイルシステムは、必ずしも一般的な規格例えばＤＣＦ(Design rule for Camera File System)規格にしたがったものでなくともよい。
【００５９】
そこで、ユーザは、トップフォルダ２０１のフォルダ名や、画像ファイル２０３−１乃至画像ファイル２０３−６のファイル名として、所望のフォルダ名、またはファイル名を付すことができる。ユーザは、自分自身で付したフォルダ名やファイル名を見ることで、トップフォルダ２０１または画像ファイル２０３−１乃至画像ファイル２０３−６の内容、例えば、どの画像ファイルにより表示される画像がどのような画像であるかを容易に思い出すことができる。このように、ユーザは、所望するフォルダ名やファイル名を付すことで、トップフォルダ２０１に格納された画像ファイルをより簡単に管理することができる。
【００６０】
また、図５では、例えば画像ファイル２０３−１乃至画像ファイル２０３−６が、図中、上から下方向に、画像処理装置１１に撮像された順番（撮像日時の古い順番）で並べられて格納されている。さらに、画像ファイル２０３−１にはサムネイル画像データ２０４−１が含まれている。同様に、画像ファイル２０３−２乃至画像ファイル２０３−６には、サムネイル画像データ２０４−２乃至サムネイル画像データ２０４−６が含まれている。サムネイル画像データ２０４−１は、画像ファイル２０３−１に含まれている画像を示すサムネイル画像を表示させるためのデータである。同様に、サムネイル画像データ２０４−２乃至サムネイル画像データ２０４−６は、画像ファイル２０３−２乃至画像ファイル２０３−６に含まれている画像を示すサムネイル画像を表示させるためのデータである。
【００６１】
なお、以下、画像ファイル２０３−１乃至画像ファイル２０３−６をそれぞれ個々に区別する必要のない場合、単に画像ファイル２０３と称する。同様に、以下、サムネイル画像データ２０４−１乃至サムネイル画像データ２０４−６をそれぞれ個々に区別する必要のない場合、単にサムネイル画像データ２０４と称する。
【００６２】
インデックスファイル２０２は、付属情報を示すものである。図６はインデックスファイル２０２の付属情報を例示している。インデックスファイル２０２は、トップフォルダ２０１に格納されている各画像ファイル２０３のファイル名、撮像日時、露光値、位置情報などの情報がそれぞれ関連付けて示されている。なお、インデックスファイル２０２には、図示せずも画像圧縮率、画像の解像度、シャッタスピードなどの情報等を含めるようにしてもよい。
【００６３】
例えば、インデックスファイル２０２には、トップフォルダ２０１に格納されている１つの画像ファイル２０３のファイル名が「DSC05001.jpg」であり、撮像日時が「2005.7.29.10:30」であり、露光値が「EV1」であり、位置情報が「N34度13分39秒E132度27分3秒」であることを示す情報が含まれている。ここで、撮像日時「2005.7.29.10：30」は、例えば、ファイル名が「DSC05001.jpg」である画像ファイル２０３の画像が２００５年７月２９日の１０時３０分に撮像されたことを示している。また、位置情報「N34度13分39秒E132度27分3秒」は、例えば、ファイル名が「DSC05001.jpg」である画像ファイル２０３の画像が、北緯３４度１３分３９秒、東経１３２度２７分３秒である位置において撮像されたことを示している。
【００６４】
また、インデックスファイル２０２には、トップフォルダ２０１に格納されている１つの画像ファイル２０３のファイル名が「DSC05002.jpg」、撮像日時が「2005.7.29.10：40」、露光値が「EV0」、位置情報が「N34度13分19秒E132度27分5秒」であることを示す情報が含まれている。また、インデックスファイル２０２には、トップフォルダ２０１に格納されている１つの画像ファイル２０３のファイル名が「DSC05003.jpg」、撮像日時が「2005.7.30.1：30」、露光値が「EV2」、位置情報が「N34度15分40秒E132度30分10秒」であることを示す情報が含まれている。
【００６５】
制御部５０は、インデックスファイル２０２を参照することにより、トップフォルダ２０１に格納されている画像ファイル２０３のファイル名、撮像日時、露光値、位置情報などの情報を基に、トップフォルダ２０１に格納されている画像ファイル２０３のうち、所定の条件を満たす画像ファイル２０３、例えば、所定の撮像日時に撮像された画像ファイル２０３などを容易に検索することができる。
【００６６】
図４のフローチャートの説明に戻り、ステップＳ１５で制御部５０のインデックスファイル更新部５４は、内部記録部３８に記録されているインデックスファイル２０２の更新処理を行う。なお、制御部５０は、更新処理が終了したとき撮像制御処理を終了する。
【００６７】
インデックスファイル更新部５４は、例えば新たにトップフォルダ２０１に格納されて記録された画像ファイル２０３の付属情報に含まれているファイル名、撮像日時、露光値、位置情報などの情報がインデックスファイル２０２に含まれるようにインデックスファイル２０２を更新する。なお、インデックスファイル更新部５４は、トップフォルダ２０１にインデックスファイル２０２が格納されていない場合、新たにトップフォルダ２０１に格納された画像ファイル２０３のファイル名、撮像日時、露光値、位置情報などの情報が含まれるインデックスファイル２０２を生成して、トップフォルダ２０１に格納させて内部記録部３８に記録させる。生成する画像ファイルを定点観測用の内部記録部３８に記録させないものと判定されてステップＳ１６に進むと、記録制御部５３は画像データの圧縮制御を行う。例えば、生成する画像ファイルをリムーバブルメディア９１に記録するときにはステップＳ１２からステップＳ１６に進み、記録制御部５３は、リムーバブルメディア９１に応じた画像データの圧縮制御を行う。
【００６８】
ここで記録モードが静止画像である撮像画像を記録するモードに設定されている場合、記録制御部５３は圧縮静止画像データを圧縮伸張処理部３７で生成させる。すなわち、記録制御部５３によって制御された圧縮伸張処理部３７は、ＲＡＭ３６から静止画像データを取得して、この静止画像データをＪＰＥＧなどの方式で、ユーザにより予め設定されている圧縮率で圧縮して圧縮静止画像データを生成する。ここで、予め設定されている圧縮率は、例えば静止画像データが内部記録部３８に記録される場合と同じ圧縮率としてもよく、異なる圧縮率とするようにしてもよい。また、圧縮伸張処理部３７は、圧縮静止画像データを生成したとき、生成した圧縮静止画像データの画像を示すサムネイル画像データを生成する。
【００６９】
記録モードが動画像である撮像画像を記録するモードに設定されている場合、記録制御部５３は圧縮動画像データを圧縮伸張処理部３７で生成させる。すなわち、記録制御部５３によって制御された圧縮伸張処理部３７は、ＲＡＭ３６から動画像データを取得して、この動画像データをＭＰＥＧなどの方式で、ユーザにより予め設定されている圧縮率で圧縮して圧縮動画像データを生成する。ここで、予め設定されている圧縮率は、例えば動画像データが内部記録部３８に記録される場合と同じ圧縮率としてもよく、異なる圧縮率とするようにしてもよい。また、圧縮伸張処理部３７は、ＲＡＭ３６から音声データを取得してＡＡＣなどの方式にしたがって圧縮して、圧縮音声データを生成する。さらに、圧縮伸張処理部３７は、圧縮動画像データを生成すると、生成した圧縮動画像データにより表示される動画像から所定の静止画像を抽出してサムネイル画像データを生成する。
【００７０】
ステップＳ１７において制御部５０の記録制御部５３は、リムーバブルメディアへの画像ファイルの記録制御を行う。なお、制御部５０は画像ファイルの記録が終了すると撮像制御処理を終了する。
【００７１】
記録制御部５３は、例えば圧縮伸張処理部３７に生成された圧縮画像データおよびサムネイル画像データを、ドライブ７３を介してリムーバブルメディア９１に供給させる。また、記録制御部５３は、画像ファイルの付属情報を生成してリムーバブルメディア９１に供給する。さらに、記録制御部５３は、付属情報や圧縮画像データ並びにサムネイル画像データを所定のフォーマット規格の画像ファイルとして、所定のファイルシステムに準拠させてリムーバブルメディア９１に記録させる。
【００７２】
リムーバブルメディア９１に画像ファイルを記録する場合、画像ファイルは１つのフォルダ（トップフォルダ）に格納されているサブフォルダに格納して記録される。図７は、リムーバブルメディア９１に画像ファイルを記録する場合のトップフォルダの構成を例示している。トップフォルダ２３１は、例えばサブフォルダ２３２−１乃至サブフォルダ２３２−３を格納した構成とされている。サブフォルダ２３２−１は画像ファイル２３３−１乃至画像ファイル２３３−３を格納している。また、サブフォルダ２３２−２は画像ファイル２３３−４乃至画像ファイル２３３−６、サブフォルダ２３２−３は画像ファイル２３３−７乃至画像ファイル２３３−９を格納している。
【００７３】
画像ファイル２３３−１乃至画像ファイル２３３−９には、画像ファイル２３３−１乃至画像ファイル２３３−９に含まれている画像のサムネイル画像を表示させるためのサムネイル画像データ２３４−１乃至サムネイル画像データ２３４−９が含まれている。
【００７４】
リムーバブルメディア９１は、画像処理装置１１に対して着脱可能な記録媒体であり、例えば、リムーバブルメディア９１は、画像処理装置１１から外され、プリンタなどの印刷装置や、パーソナルコンピュータなどにも装着される場合がある。そのような場合、印刷装置などの画像処理装置１１とは異なる装置が、装着されたリムーバブルメディア９１に記録されている画像ファイルを認識できるように、リムーバブルメディア９１に記録される画像ファイルは、一般的に用いられている規格例えばＤＣＦ規格のファイルシステムに準拠させて記録されることが望ましい。
【００７５】
なお、トップフォルダ２３１のフォルダ名は、画像処理装置１１とは異なる装置がトップフォルダ２３１を画像ファイルが格納されているフォルダとして認識できるように、ＤＣＦなどの規格により定められた形式のフォルダ名とする。また、トップフォルダ２３１における場合と同様に、サブフォルダ２３２−１乃至サブフォルダ２３２−３のフォルダ名、および画像ファイル２３３−１乃至画像ファイル２３３−９のファイル名も、例えば、ＤＣＦなどの規格に準拠したものとする。
【００７６】
以下、サブフォルダ２３２−１乃至サブフォルダ２３２−３のそれぞれを個々に区別する必要のない場合、単にサブフォルダ２３２と称する。また、以下、画像ファイル２３３−１乃至画像ファイル２３３−９のそれぞれを個々に区別する必要のない場合、単に画像ファイル２３３と称する。さらに、以下、サムネイル画像データ２３４−１乃至サムネイル画像データ２３４−９のそれぞれを個々に区別する必要のない場合、単にサムネイル画像データ２３４と称する。
【００７７】
ところで、ＤＣＦ規格ではサブフォルダ２３２に格納することができる画像ファイル２３３の数は予め定められている。例えば、図７では、サブフォルダ２３２のそれぞれに格納することができる画像ファイルの数が３つとされている場合を示している。
【００７８】
したがって、例えばトップフォルダ２３１に画像ファイル２３３が格納されて記録される場合、まずサブフォルダ２３２−１が生成されてトップフォルダ２３１に格納される。そして、サブフォルダ２３２−１には、画像ファイル２３３−１乃至画像ファイル２３３−３のそれぞれが撮像された順番に格納されて記録される。さらに、サブフォルダ２３２−１に予め定められた数の画像ファイル２３３が格納されると、次に、サブフォルダ２３２−２が生成されてトップフォルダ２３１に格納され、画像ファイル２３３が撮像された順番に、サブフォルダ２３２−２に格納されて記録される。
【００７９】
このようにして、トップフォルダ２３１（サブフォルダ２３２）に、画像ファイル２３３が格納されて記録される場合、サブフォルダ２３２に、画像ファイル２３３が順番に格納されて記録され、そのサブフォルダ２３２に予め定められた数の画像ファイル２３３が格納されると、新たなサブフォルダ２３２が生成されてトップフォルダ２３１に格納され、そのサブフォルダ２３２に画像ファイル２３３が格納されて記録される。
【００８０】
このように、リムーバブルメディア９１に画像ファイルが記録される場合には、ＤＣＦなどの一般的な規格にしたがって画像ファイルが記録されるので、画像処理装置１１とは異なる装置もリムーバブルメディア９１に記録された画像ファイルを認識することができる。
【００８１】
以上のように、画像処理装置１１の制御部５０は、観測対象を撮像させて、撮像により得られた画像ファイルを内部記録部３８またはリムーバブルメディア９１に記録させる。そして、制御部５０は、画像ファイルを内部記録部３８に記録するよう設定されている場合、画像ファイルを内部記録部３８に記録させるとともに、画像ファイルに関する情報が含まれているインデックスファイルを更新する。また、画像ファイルをリムーバブルメディア９１に記録するよう設定されている場合、制御部５０は、異なる装置間での互換性を維持するために、画像ファイルを例えば、一般的に用いられている規格などにしたがって記録させる。
【００８２】
このように、画像処理装置１１に内蔵されている内部記録部３８に画像ファイルが記録される場合に、制御部５０は、画像ファイルを記録させるとともに、インデックスファイルを更新することで、記録されている画像ファイルのファイル名、撮像日時、露光値、位置情報などの情報を参照することができる。これにより、制御部５０は、インデックスファイルに含まれている画像ファイルに関する情報を基に、所定の条件を満たす画像ファイルを検索することができる。
【００８３】
また、撮像により得られた画像ファイルを、内部記録部３８またはリムーバブルメディア９１のいずれに記録させるかを選択できるようにすることで、ユーザは、記録媒体によって異なる圧縮率の画像ファイルを記録させることができる。これにより、例えば、内部記録部３８には、より圧縮率の大きい画像ファイルを記録させて、より多くの画像ファイルを記録できるようにしたり、リムーバブルメディア９１には、高画質の画像を印刷できるように、圧縮率の小さい画像ファイルを記録させたりすることができる。
【００８４】
次に、内部記録部３８またはリムーバブルメディア９１に記録された画像ファイルを読み出して画像を再生する動作について説明する。
【００８５】
図８は、記録された画像を再生して画像表示を行う画像表示処理を示すフローチャートである。ステップＳ２１で制御部５０の再生制御部５６は記録媒体の選択を行う。
【００８６】
例えば、ユーザが画像処理装置１１のモード切換ボタン６１を操作したことにより動作モードが再生モードに設定されて、さらに、ユーザが入力部６０を操作して、画像ファイルが記録されている記録媒体、または画像ファイルにより表示される画像（のサムネイル画像）を選択すると、入力部６０から制御部５０に対して、ユーザにより選択された記録媒体または画像を示す入力信号が供給される。
【００８７】
制御部５０の再生制御部５６は、選択された記録媒体または画像を示す入力信号が供給されると、この入力信号に基づいて記録媒体の選択を行う。例えば、入力信号が内部記録部３８や内部記録部３８に記録されている画像を示す場合、再生制御部５６は記録媒体として内部記録部３８を選択する。また、入力信号がリムーバブルメディア９１やリムーバブルメディア９１に記録されている画像を示す場合、再生制御部５６は記録媒体としてリムーバブルメディア９１を選択する。
【００８８】
ここで、記録媒体の選択では、内部記録部３８またはリムーバブルメディア９１のいずれかをユーザが指定するものとする。また、サムネイル画像の一覧を表示して、ユーザが指定したサムネイル画像を含む画像ファイルが記録されている記録媒体を選択するようにしてもよい。例えば、入力部６０が操作されて、サムネイル画像の一覧の表示指示が行われると、再生制御部５６は、内部記録部３８またはリムーバブルメディア９１に記録されている画像ファイルに含まれるサムネイル画像データに基づき、サムネイル画像の一覧を表示させるための画像データを生成する。さらに、再生制御部５６は、生成した画像データを出力部４０に供給することで、出力部４０の表示部４１にサムネイル画像の一覧を表示させる。その後、ユーザが入力部６０を操作して、サムネイル画像の一覧から１つのサムネイル画像を選択すると、再生制御部５６は、入力部６０から供給された入力信号に基づいて、選択されたサムネイル画像が含まれている画像ファイルを判別して、この画像ファイルが記録されている記録媒体を選択する。
【００８９】
ステップＳ２２で制御部５０の判定部５２は、内部記録部３８が選択されたか否かを判定する。例えば、判定部５２は、ステップＳ２１において再生制御部５６により選択された記録媒体に、リムーバブルメディア９１を識別するためのファイルが記録されているか否かを基に、内部記録部３８が選択されたか否かを判定する。例えば、リムーバブルメディア９１としてのメモリースティック（商標）には、ファイル名が「MEMSTICK.IND」であるメモリースティックを識別するためのインデックスファイルが記録されている。判定部５２は、このインデックスファイルが、選択された記録媒体に記録されているか否かに基づいて、内部記録部３８が選択されたか否かを判定する。また、判定部５２は、例えばユーザにより選択されたサムネイル画像が示す画像を含む画像ファイルのファイルシステムにおけるディレクトリ名（例えば、ファイル名やフォルダ名など）に基づいて、内部記録部３８が選択されたか否かを判定するようにしてもよい。ここで、内部記録部３８が選択されたと判定された場合にはステップＳ２３に進み、内部記録部３８が選択されていないと判定された場合すなわちリムーバブルメディア９１が選択されたときにはステップＳ２５に進む。
【００９０】
ステップＳ２３で制御部５０の決定部５５は、表示画像リストを生成する。決定部５５は、表示させる画像の表示順を決定して、その表示順を示す表示画像リストを生成してステップＳ２４に進む。
【００９１】
例えば、図５に示すように画像ファイルが内部記録部３８に記録されており、インデックスファイル２０２には、図６に示すように撮像日時を示す情報が含まれている場合、決定部５５は、インデックスファイル２０２の撮像日時から画像ファイルの画像が新しいか古いか判別できる。ここで、決定部５５は、最も新しい画像を表示画像リストの先頭（のリスト項目）として、最も古い画像が表示画像リストの最後となるように表示画像リストを生成する。すなわち、決定部５５は、インデックスファイル２０２に含まれている撮像日時を示す情報に基づき、表示画像リストの先頭が最も新しい撮像日時（現在時刻に最も近い撮像日時）の画像であって、順次撮像日時が古い画像となるように、画像の順番を並び換えた表示画像リストを生成する。これにより、トップフォルダ２０１に格納されている画像ファイルの画像が、撮像日時の新しい順番に並べられた表示画像リストが得られる。
【００９２】
また、決定部５５は、撮像時の他の条件から画像の表示順を決定できるようにしてもよい。例えば再生制御部５６は、ＲＯＭ７２などから画像の表示順を設定する表示順設定画面を表示させるための画像データを取得して出力部４０に供給することで、出力部４０の表示部４１に表示順設定画面を表示させる。この表示順設定画面には、画像を撮像された日時の順番で表示させる「撮像日時順」のメニュー項目だけでなく、露光値の小さい順に画像を表示させる「露光値順」、画像が撮像された位置が、基準となる所定の位置に近い順番に画像を表示させる「撮像位置順」などのメニュー項目を設ける。決定部５５は、入力部６０からの入力信号に基づきユーザがいずれのメニュー項目を選択したか判別して、判別したメニュー項目の順序となるように表示画像リストを生成する。
【００９３】
決定部５５は、例えばメニュー項目「撮像日時順」が選択されたことを判別したとき、上述のように撮像日時順の表示画像リストを生成する。また、決定部５５は、「露光値順」のメニュー項目や「撮像位置順」のメニュー項目が選択されたことを判別したとき、インデックスファイルの露光値や位置情報に基づき画像の並べ換えを行い表示画像リストを生成するものとしてもよい。
【００９４】
このように表示画像リストを生成すれば、この表示画像リストを用いることで、ユーザの選択した条件に基づく順番で画像を表示させることが可能となる。
【００９５】
ステップＳ２４で制御部５０の再生制御部５６は、内部記録部３８に記録されている画像ファイルの画像表示制御を行いステップＳ２６に進む。再生制御部５６は、例えば図５に示した画像ファイル２０３のうち、最後に撮像された画像の画像ファイル、すなわち撮像日時が最も現在時刻に近い画像の画像ファイルを、圧縮伸張処理部３７によって内部記録部３８から取得させる。また、再生制御部５６は、取得させた画像ファイルに含まれている画像データを必要に応じて圧縮伸張処理部３７で伸張させて、伸張後の画像データを表示部４１に供給して画像表示を行わせる。
【００９６】
ステップＳ２２において、内部記録部３８が選択されていないと判定されてステップＳ２５に進むと、制御部５０の再生制御部５６は、リムーバブルメディア９１に記録されている画像ファイルの画像表示制御を行いステップＳ２６に進む。再生制御部５６は、例えば図７に示した画像ファイル２３３のうち、最後に撮像された画像の画像ファイル２３３−９を圧縮伸張処理部３７によってリムーバブルメディア９１から取得させる。また、再生制御部５６は、画像ファイル２３３−９に含まれている画像データを必要に応じて圧縮伸張処理部３７によって伸張させて、伸張後の画像データを表示部４１に供給して画像表示を行わせる。
【００９７】
ステップＳ２６で制御部５０の再生制御部５６は、次に表示させる画像が選択されたか否かを判定する。再生制御部５６は、入力部６０からの入力信号に基づき、ユーザが表示部４１に表示されている画像の例えば次の画像または１つ前の画像の表示を指示する操作を行ったと判別したとき、ステップＳ２７に進む。また、再生制御部５６は、次に表示させる画像が選択されていないと判定したときステップＳ２８に進む。
【００９８】
なお、内部記録部３８に記録されている画像ファイルの画像表示制御が行われている場合、画像ファイル２０３に含まれている画像は、決定部５５により生成された表示画像リストにおいて、画像が並べられている順番に基づいて表示される。また、リムーバブルメディア９１に記録されている画像ファイルの画像表示制御が行われている場合、画像ファイル２３３に含まれている画像は、撮像日時の順番で表示される。
【００９９】
ステップＳ２７で制御部５０の再生制御部５６は、ユーザにより選択された画像の画像表示制御を行ってステップＳ２６に戻る。
【０１００】
例えば、内部記録部３８に記録されている画像ファイルの画像表示制御が行われている場合、再生制御部５６は次の画像の表示が指示されたとき、ステップＳ２３において生成した表示画像リストから次に表示する画像を判別して、この判別した画像を表示部４１に表示させる処理を行う。したがって、例えば、表示画像リストの画像の順番が、先頭から画像ファイル２０３−６の画像乃至画像ファイル２０３−１の画像であり、現在、表示部４１に表示されている画像が、画像ファイル２０３−６の画像である場合、再生制御部５６は、表示画像リストに基づき、画像ファイル２０３−６の画像の次の画像である画像ファイル２０３−５を圧縮伸張処理部３７によって内部記録部３８から取得させる。さらに、取得した画像ファイル２０３−５の圧縮画像データを圧縮伸張処理部３７で伸張処理して、伸張処理後の画像データを表示部４１に供給させる。
【０１０１】
また、例えば、リムーバブルメディア９１に記録されている画像ファイルの画像表示制御が行われている場合、再生制御部５６は次の画像の表示が指示されたとき、表示部４１に表示されている画像の１つ前の画像を表示部４１に表示させる処理を行う。したがって、例えば、表示部４１で現在表示されている画像が、画像ファイル２３３−７の画像である場合、再生制御部５６は、画像ファイル２３３−７の画像の次に撮像された画像の画像ファイル２３３−８を圧縮伸張処理部３７によってリムーバブルメディア９１から取得させる。さらに、取得した画像ファイル２３３−８の圧縮画像データを圧縮伸張処理部３７で伸張処理して、伸張処理後の画像データを表示部４１に供給させる。
【０１０２】
このように、表示部４１に１つの画像が表示されている状態において、ユーザにより次の画像、または１つ前の画像の表示が指示されると、画像処理装置１１は、ユーザの指示に応じて、表示部４１に、現在表示されている画像の次の画像、または１つ前の画像を表示させる。
【０１０３】
ステップＳ２６において、次に表示させる画像が選択されていないと判定してステップＳ２８に進むと、制御部５０の再生制御部５６は、スライドショー表示が選択されたか否かを判定する。再生制御部５６は、入力部６０から供給された入力信号によって、ユーザがスライドショー表示を指示したことを判別したときステップＳ２９に進む。また、再生制御部５６は、スライドショー表示の指示を判別していないときステップＳ３０に進む。
【０１０４】
ステップＳ２９で制御部５０の再生制御部５６は、スライドショー表示処理を行ったのちステップＳ３３に進む。なお、スライドショー表示処理の詳細は後述するが、再生制御部５６は、スライドショー表示処理において、内部記録部３８またはリムーバブルメディア９１に記録されている画像ファイルの画像を、表示部４１に１枚ずつ順番に表示させる。
【０１０５】
ステップＳ２８からステップＳ３０に進むと、制御部５０の再生制御部５６は、定点撮像動画作成が選択されたか否かを判定する。再生制御部５６は、入力部６０から供給された入力信号によって、ユーザが定点撮像動画作成を選択したと判別したときステップＳ３１に進む。また、再生制御部５６は、定点撮像動画作成の選択がなされたと判別していないときステップＳ３２に進む。
【０１０６】
ステップＳ３１で制御部５０の再生制御部５６は、定点撮像動画作成処理を行ったのちステップＳ３３に進む。なお、定点撮像動画作成処理の詳細は後述するが、再生制御部５６は、定点撮像動画作成処理において、内部記録部３８に記録されている画像ファイルの画像を、作成ルールによって動画像データに変換して記録媒体に記録する。
【０１０７】
ステップＳ３２で制御部５０の再生制御部５６は、ユーザの操作に応じた処理を行ったのちステップＳ３３に進む。制御部５０の再生制御部５６は、入力部６０からの入力信号に基づいてどのような指示をユーザが行ったか判別して指示に応じた処理を行う。例えば、表示部４１に表示されている画像の拡大表示、画像の表示の終了、表示されている画像の削除等の指示が行われたとき、再生制御部５６は、画像の拡大表示、画像の表示の終了、画像の削除などの処理を行う。
【０１０８】
ステップＳ３３で制御部５０の再生制御部５６は、画像の表示を終了するか否かを判定する。制御部５０の再生制御部５６は、入力部６０からの入力信号に基づき、例えば再生モードから記録モードへの切り換え指示が行われたことや画像の表示終了の指示が行われたことを判別したとき、画像表示処理を終了する。また、再生制御部５６は、画像表示処理の終了と判別しないときステップＳ２６に戻り上述の処理を繰り返す。
【０１０９】
このように、内部記録部３８に記録されている画像ファイルの画像が表示される場合、制御部５０は、インデックスファイルを参照して表示画像リストを生成し、画像ファイルの画像が撮像された順番、またはユーザにより指定された条件に基づく順番で画像を表示させる。また、リムーバブルメディア９１に記録されている画像ファイルの画像が表示される場合、制御部５０は、画像ファイルの画像が撮像された順番に基づいて画像を表示させる。
【０１１０】
次に、図９のフローチャートを参照して、図８におけるステップＳ２９の処理であるスライドショー表示処理を説明する。
【０１１１】
ステップＳ２９１で制御部５０の再生制御部５６は、スライドショー表示する画像が、内部記録部３８に記録されている画像ファイルの画像であるか否かを判定する。ここで、内部記録部３８は上述のように定点観測用として用いられるものであり、内部記録部３８には、定点観測を行うために撮像された静止画像が記録されている。
【０１１２】
再生制御部５６は、例えば入力部６０からスライドショー表示を指示する入力信号が供給された時点で、表示部４１に表示されている画像の画像ファイルが内部記録部３８に記録されている画像ファイルであるとき、内部記録部３８に記録されている画像ファイルの画像であると判定してステップＳ２９２に進む。また、再生制御部５６は、例えば入力部６０からスライドショー表示を指示する入力信号が供給された時点で、表示部４１に表示されている画像の画像ファイルが内部記録部３８に記録されている画像ファイルでないときステップＳ２９４に進む。
【０１１３】
ステップＳ２９２で制御部５０の決定部５５は、スライドショーの設定入力処理の結果に基づいて定点観測画像表示リストを生成する。決定部５５は、ユーザによって設定された条件を満たすようにスライドショー表示させる画像の表示順と各画像を表示する時間を決定して、その表示順を示すリストである定点観測表示画像リストを生成する。
【０１１４】
ここで、再生制御部５６は、例えばＲＯＭ７２などから定点観測用のスライドショー表示の条件を設定する表示条件設定画面の画像データを取得して出力部４０に供給して、出力部４０の表示部４１に表示条件設定画面を表示させる。決定部５５は、入力部６０からの入力信号に基づき、表示条件設定画面を利用して行われたユーザ操作がどのような表示設定を行ったか判別する。さらに、決定部５５は、内部記録部３８に記録されている画像ファイルの画像、すなわち時間順に撮像された複数の静止画像に対して、次の静止画像が撮像されるまでの撮像間隔に比例した時間割当てを行い、ユーザによって設定された条件を満たすように各静止画像の表示時間を決定する。
【０１１５】
表示時間の決定方法としては、例えば第一および第二の決定方法を用いるものとする。表示時間の第一の決定方法は、内部記録部３８に記録されている画像ファイルすべての表示にかかる時間を指定して各画像の表示時間を決定する方法であり、表示時間の第二の決定方法は、内部記録部３８に記録されている各画像の撮像日時から得られる最短の撮像間隔に対応させた最短時間を指定して各画像の表示時間を決定する方法である。
【０１１６】
ここで、第一の決定方法を指定した場合、再生制御部５６は、ＲＯＭ７２などから画像ファイルすべての画像を用いて動画像表示を行うときの動画表示時間を指定する動画表示時間指定画面の画像データを取得して出力部４０に供給することで、出力部４０の表示部４１に動画表示時間指定画面を表示条件設定画面として表示させる。このように、再生制御部５６は、動画表示時間指定画面を表示させることで、動画表示時間をユーザが指定または選択（以下単に「指定」という）できるようにする。さらに、再生制御部５６は、ＲＯＭ７２などから撮像画像に合成して表示する再生情報の表示設定を行うための合成表示設定画面の画像データを取得して出力部４０に供給することで、出力部４０の表示部４１に合成表示設定画面を表示させる。このように、再生制御部５６は、合成表示設定画面を表示させることで、どのような再生情報を撮像画像と合成して表示するかユーザが設定できるようにする。
【０１１７】
第二の決定方法を指定した場合、再生制御部５６は、ＲＯＭ７２などから最短の撮像間隔に対応させた最短時間を指定する最短時間指定画面の画像データを取得して出力部４０に供給することで、出力部４０の表示部４１に最短時間指定画面を表示条件設定画面として表示させて、ユーザに各画像の撮像間隔に基づく表示時間の最短時間を指定させる。
【０１１８】
さらに、再生制御部５６は、ユーザによって指定された最短時間に基づき、画像ファイルすべての画像を用いて動画像表示を行うときに要する時間を算出する。再生制御部５６は、算出した時間と、次の条件を入力するための選択肢と、再び最短時間を指定する状態に戻るための選択肢を表示部４１に表示させることで、算出した時間がユーザの意図していないほど長時間であったときに最短時間を再度指定できる状態に戻れるようにする。  再生制御部５６は、入力部６０からの入力信号に基づき、ユーザが全体を表示する時間を確認にして次の条件を入力する指示を行ったと判別すると、ＲＯＭ７２などから合成表示設定画面の画像データを取得して出力部４０に供給することで、出力部４０の表示部４１に合成表示設定画面を表示させる。再生制御部５６は、合成表示設定画面を表示させることで、第二の決定方法を指定した場合でも、どのような再生情報を撮像画像と合成して表示するかユーザが設定できるようにする。
【０１１９】
次に、各画像の表示時間の第一の決定方法について説明する。第一の決定方法が選択された場合、決定部５５は指定された動画表示時間を、撮像間隔に応じて区分して、静止画像の撮像間隔とスライドショー表示おける静止画像の表示時間が比例するように時間割当てを行う。
【０１２０】
以下に、その算出式を記述するが、撮像間隔に比例してスライドショーにおける表示時間が割り当てられれば、算出方法は以下の算出式に限らない。また、最後の静止画像の表示時間は、動画表示時間を画像の数で等分して得た時間を割り当てるものとしているが、ユーザの指定による任意の時間としてもよい。
【０１２１】
決定部５５は、内部記録部３８に記憶されている画像群すなわち定点観測を行うために撮像された静止画像の枚数と撮像日時情報を取得し、各画像に時系列順に連番を割り当てる。例えば静止画像が枚数ＮＢであり、撮像順に画像１、画像２、画像３・・・画像ＬＳとする。
【０１２２】
ここで画像ｎの撮像日時をＴＳ（ｎ）、画像ｎ＋１の撮像日時をＴＳ（ｎ＋１）とすると、画像ｎの撮像間隔ＴＷ（ｎ）は式（１）に示すものとなる。
ＴＷ（ｎ）＝ＴＳ（ｎ＋１）−ＴＳ（ｎ）・・・（１）
【０１２３】
また、指定された動画表示時間をＴＰＴとしたとき、画像ＬＳの表示時間ＴＰ（ＬＳ）は式（２）で設定する。
ＴＰ（ＬＳ）＝ＴＰＴ／ＮＢ  ・・・（２）
【０１２４】
さらに、画像１から画像ＬＳまでの撮像間隔の合計を全撮像間隔ＴＷＴとしたとき、画像ｎの表示時間は式（３）で設定する。
ＴＰ（ｎ）＝（ＴＷ（ｎ）／ＴＷＴ）×（ＴＰＴ−ＴＰ（ＬＳ））  ・・・（３）
【０１２５】
決定部５５は、上記算出式にて、各画像に対して、スライドショーにおいての表示時間および、画像ファイルすべての表示にかかる時間に対する割合を算出し、時系列順に列挙した画像ファイルに、表示時間と表示時間割合とを関連付けた定点観測表示画像リストを作成する。
【０１２６】
図１０は、第一の決定方法を用いて算出した表示時間と表示時間割合を例示している。なお、図１０では画像群として画像１「DSC07001.jpg」乃至画像６（＝ＬＳ）「DSC07006.jpg」が記憶されており、撮像日時情報が図に示されている日時とされているものとする。
【０１２７】
式（１）から画像１の撮像間隔ＴＷ（１）は、ＴＷ（１）＝（２００７．１０．３．１０：４０）−（２００７．１０．１．１０：３０）＝２８９０ｍｉｎとなる。また、同様に式（２）から画像２乃至画像５の撮像間隔を算出できる。動画表示時間ＴＰＴが例えば５０ｓｅｃに設定されている場合、式（２）から画像６の表示時間ＴＰ（６）は、ＴＰ（６）＝５０／６≒８．３ｓｅｃとなる。また、全撮像間隔ＴＷＴは（２００７．１０．２５．１０：３０）−（２００７．１０．１．１０：３０）＝３４５６０ｍｉｎであり、式（３）から画像１の表示時間ＴＰ（１）は、（２８９０／３４５６０）×（５０−８．３）≒３．５ｓｅｃとなる。また、画像１の表示時間割合は（３．５／５０）≒７％となる。同様に式（３）から画像２乃至画像５の表示時間を算出できる。また、画像２乃至画像６の表示時間割合も算出できる。
【０１２８】
なお、スライドショーにおいては表示時間を算出しているが、動画生成時においては、表示時間と等価であるコマ数（フレーム数）を各画像の表示時間の変わりに算出してもよい。
【０１２９】
次に、表示時間の第二の決定方法について説明する。第二の決定方法を選択された場合、決定部５５は、撮像された時間順の静止画像における最短撮像間隔をユーザが指示した最短時間として、他の画像の表示時間は各画像の撮像間隔に比例するように算出する。
【０１３０】
以下に、その算出式を記述するが、撮像間隔がスライドショーにおいての表示時間に比例して配分されれば、算出方法は以下の算出式に限らない。なお、最後の画像の表示時間は、全体の撮像間隔を等分に分配した場合の時間を割り当てるものとしているが、ユーザの指定による任意の時間でもよい。
【０１３１】
決定部５５は、内部記録部３８に記憶されている画像群すなわち定点観測を行うために撮像された静止画像の枚数と撮像日時情報を取得し、各画像に時系列順に連番を割り当てる。例えば例えば静止画像が枚数ＮＢであり、撮像順に画像１、画像２、画像３・・・画像ＬＳとする。
【０１３２】
ここで画像ｎの撮像日時をＴＳ（ｎ）、画像ｎ＋１の撮像日時をＴＳ（ｎ＋１）とすると、画像ｎの撮像間隔ＴＷ（ｎ）は、上述の式（１）に示すものとなる。
【０１３３】
また、式（１）によって求めた各画像の撮像間隔をそれぞれ比較し、最短の撮像間隔を撮像間隔ＴＷｍとして式（４）から画像ｎの表示時間ＴＰ（ｎ）を算出する。なお、指示された最短時間をＴＰｅとする。
ＴＰ（ｎ）＝（ＴＷ（ｎ）／ＴＷｍ）×ＴＰｅ・・・（４）
【０１３４】
また、上述のように全撮像間隔ＴＷＴを求めて、この全撮像間隔ＴＷＴと式（５）から最後の画像ＬＳの表示時間を算出する。
ＴＰ（ＬＳ）＝（（ＴＷＴ／ＴＷｍ）×ＴＰｅ）／ＮＢ  ・・・（５）
【０１３５】
決定部５５は、上記算出式にて、各画像に対して、スライドショーにおいての表示時間を算出しユーザに対し全体を表示するための時間を提示するためにすべてを加算し、ユーザによって確認の指示がされた後、各画像に対して、画像ファイルすべての表示にかかる時間に対する割合を算出し、時系列順に列挙した画像ファイルに、表示時間と、表示時間割合とを関連付けた定点観測表示画像リストを作成する。
【０１３６】
図１１は、第二の決定方法を用いて算出した表示時間と表示時間割合を例示している。なお、図１１において、画像群と撮像日時情報は図１０と同一であるものとする。
【０１３７】
式（１）から画像１の撮像間隔ＴＷ（１）は、ＴＷ（１）＝（２００７．１０．３．１０：４０）−（２００７．１０．１．１０：３０）＝２８９０ｍｉｎとなる。また、同様に式（１）から画像２乃至画像５の撮像間隔を算出できる。ここで、最小の撮像間隔は撮像間隔ＴＷ（１）であることから、最小の撮像間隔ＴＷｍは「２８９０ｍｉｎ」となる。  次に、指定された最短時間ＴＰｅが例えば５ｓｅｃに設定されている場合、式（４）から画像１の表示時間ＴＰ（１）は、ＴＰ（１）＝（（２８９０／２８９０）×５＝５ｓｅｃとなる。同様に式（４）から画像２乃至画像５の表示時間を算出できる。また、全撮像間隔ＴＷＴは（２００７．１０．２５．１０：３０）−（２００７．１０．１．１０：３０）＝３４５６０ｍｉｎであるので、式（５）から最後の画像６の表示時間ＴＰ（６）は、ＴＰ（６）＝（（３４５６０／２８９０）×５）／６≒１０ｓｅｃとなる。さらに、画像１の表示時間ＴＰ（１）〜画像６の表示時間ＴＰ（６）の合計は略７０ｓｅｃであることから、各画像の表示時間割合も算出できる。例えば画像１の表示時間割合は（５／７０）≒７％となる。
【０１３８】
また、上述のように算出した表示時間の合計を表示部４１に表示することで、ユーザは表示時間を判別できる。したがって、ユーザは、表示時間が長いときに再度最短時間を指示することで表示時間を所望の時間に調整できる。
【０１３９】
なお、スライドショーにおいては表示時間を算出しているが、動画生成時においては、表示時間と等価であるコマ数（フレーム数）を各画像の表示時間の変わりに算出してもよい。
【０１４０】
このように、各画像の表示時間の第一の決定方法または第二の決定方法を選択して上述のように演算を行うことで、時系列順に列挙した画像ファイルに、表示時間と、表示時間割合とを関連付けた定点観測表示画像リストを作成することができる。
【０１４１】
図９のステップＳ２９２で定点観測表示画像リストを生成して、ステップＳ２９３に進むと、制御部５０の再生制御部５６は、決定部５５が生成した定点観測表示画像リストに基づいて画像表示制御を行う。
【０１４２】
再生制御部５６は、定点観測表示画像リストの先頭の画像ファイルを内部記録部３８から圧縮伸張処理部３７によって取得させる。また、再生制御部５６は、画像ファイルに含まれている画像データを圧縮伸張処理部３７で伸張させて、伸張後の画像データをＲＡＭ３６に記憶させて、このＲＡＭ３６から画像データを読み出して表示部４１に供給して画像表示を行わせる。また、再生制御部５６は定点観測表示画像リストのうち、現在表示している画像の表示時間が経過したら、リストの次の画像を内部記録部３８から圧縮伸張処理部３７によって取得させたのち伸張させてＲＡＭ３６に記憶させる。
【０１４３】
また、再生制御部５６は、定点観測のスライドショー画面に再生情報画像を合成して表示可能とする。再生情報画像は、例えばスライドショーにおける進行位置や画像の切換位置、またはどのような撮像画像が表示されているかを識別可能とする情報等を示す画像であり、この再生情報画像の表示では、複数の表現方法を選択可能として、ユーザが選択した表現方法の再生情報画像を表示させる。再生制御部５６は、例えば第一の表現方法として撮像した画像の撮像日時に基づいた相対的な表現を行い、第二の表現方法として撮像日時そのものを使用した表現を行う。
【０１４４】
図１２は、第一の表現方法を用いた再生情報画像を例示している。第一の表現方法は、撮像された画像全体の撮像期間に対して各画像の撮像日時とスライドショーの進行を相対的に表す表現方法である。
【０１４５】
スライドショーとして表示される撮像画像ＧＡには、再生情報を示す再生情報画像ＧＢが合成して表示される。なお、再生情報画像ＧＢの配置は撮像画像ＧＡの参照に支障とならないように配置されるが、その位置はユーザによって任意の設定が可能なように構成されている。
【０１４６】
再生情報画像ＧＢは、スライドショーの開始から終了までの期間を示す表示に対して、再生の進行位置を示す進行位置ポインタ、表示される画像の切換位置を示す切換位置ポインタが設けられている。
【０１４７】
図１２の（Ａ）は、スライドショーの開始から終了までの期間を棒状の表示ＧＢａ１で示すものとした場合を示している。進行位置ポインタＧＢｂは、表示ＧＢａ１の側縁に設けられており、時間の経過とともにスライドショーの開始位置から終了位置まで移動する。切換位置ポインタＧＢｃは、定点観測表示画像リストで示された表示時間割合に応じて棒状の表示ＧＢａ１を区切るように設けられている。例えば図１０に示すように表示時間割合が決定されている場合、スライドショーの開始位置から７％の割合の位置に切換位置ポインタＧＢｃが設けられる。また、このポインタの位置から２４％の割合の位置に次の切換位置ポインタＧＢｃが設けられる。以下同様にして、定点観測表示画像リストで示された表示時間割合に応じた切換位置ポインタＧＢｃが設けられる。なお、最後の画像となる画像６の切換位置ポインタは終了位置と同一となるため配置しなくともよい。
【０１４８】
図１２の（Ｂ）は、スライドショーの開始から終了までの期間を円状の表示ＧＢａ２で示すものとした場合を示している。進行位置ポインタＧＢｂは、表示ＧＢａ２の外縁に設けられており、時間の経過とともにスライドショーの開始位置から終了位置まで移動する。切換位置ポインタＧＢｃは、定点観測表示画像リストで示された表示時間割合に応じて円状の表示ＧＢａ２を分割するように設けられている。例えば図１０に示すように表示時間割合が決定されている場合、円の中心とスライドショーの開始位置を結ぶ線に対して、３６０度の７％である角度となる位置に切換位置ポインタＧＢｃが設けられる。また、このポインタの位置から３６０度の２４％である角度となる位置に次の切換位置ポインタＧＢｃが設けられる。以下同様にして、定点観測表示画像リストで示された表示時間割合に応じた切換位置ポインタＧＢｃが設けられる。なお、最後の画像となる画像６の切換位置ポインタは終了位置と同一となるため配置しなくともよい。
【０１４９】
図１２の（Ｃ）は、スライドショーの開始から終了までの期間を線状の表示ＧＢａ３で示すものとした場合を示している。進行位置ポインタＧＢｂは、表示ＧＢａ３の線上に設けられており、時間の経過とともにスライドショーの開始位置から終了位置まで移動する。切換位置ポインタＧＢｃは、定点観測表示画像リストで示された表示時間割合に応じて線状の表示ＧＢａ３を区切るように設けられている。例えば図１０に示すように表示時間割合が決定されている場合、スライドショーの開始位置から７％の割合の位置に切換位置ポインタＧＢｃが設けられる。また、このポインタの位置から２４％の割合の位置に次の切換位置ポインタＧＢｃが設けられる。以下同様にして、定点観測表示画像リストで示された表示時間割合に応じた切換位置ポインタＧＢｃが設けられる。なお、最後の画像となる画像６の切換位置ポインタは終了位置と同一となるため配置しなくともよい。
【０１５０】
このように、再生情報画像ＧＢは、スライドショーの開始と終了の位置を示す部位を持ち、すべての画像を表示するための時間を、長さまたは面積によって表す形状とする。また進行位置ポインタＧＢｂは、すべての画像を表示するための時間に対し、スライドショーを開始してからの経過時間を示す位置にスライドショーの進行に伴って移動するように設ける。さらに、切換位置ポインタＧＢｃは、表示時間の第一の決定方法または第二の決定方法によって算出された各画像の表示時間割合ごとに全体部の長さ、または面積を分割する位置に定点観測表示画像リストの順に設ける。したがって、再生情報画像ＧＢを参照すれば、定点観測で撮像された画像の再生がどのように行われているか容易に判別できるようになる。また、進行位置ポインタＧＢｂによって再生動作状態を把握できるので、動画像において変化が少ない場合、観測対象の動きが少ないのか機器の操作の誤りであるか正しく判断できる。なお、進行位置ポインタＧＢｂは、点や線等を用いて再生位置を示すものとしてもよい。また、切換位置ポインタＧＢｃを点等で表示するものとしてもよい。
【０１５１】
図１３は、第二の表現方法を用いた再生情報画像を例示している。第二の表現方法は、撮像日時をそのまま使用した表現方法である。
【０１５２】
スライドショーとして表示される撮像画像ＧＡには、再生情報を示す再生情報画像ＧＣが合成して表示される。なお、再生情報画像ＧＣの配置は撮像画像ＧＡの参照に支障とならないように配置されるが、その位置はユーザによって任意の設定が可能なように構成されている。
【０１５３】
図１３の（Ａ）に示す再生情報画像ＧＣは、カレンダー表示ＧＣａ、マーカー表示ＧＣｂ、時計表示ＧＣｃ、撮像日時表示ＧＣｄによって構成されている。なお、マーカー表示ＧＣｂは、カレンダー表示の特定の月日を示す表示である。
【０１５４】
再生情報画像ＧＣでは、スライドショーの進行にあわせて、現在表示している画像の撮像日時と、次に表示する画像の撮像日時との間を補完する日時を適時算出し、算出された結果に基づきマーカー表示の位置と表示時刻を変更制御することで、撮像された日時情報とスライドショーの進行を同時に表現する。なお、撮像日時情報は、カレンダー表示に月日の進行を表すマーカーと異なる形状または色のマーカーで表現してもよい。また、カレンダー表示については月ごとに日付を一覧するものとしているが、週単位であってもよいし、年単位であってもよい。また、複数の月を順に並べて配置してもよい。このように配置することで、撮像された画像の撮像日をすべてマーカーで配置して一覧することで長期にわたる定点観測において有効である。
【０１５５】
ところで、図１３の（Ａ）において、各画像の撮像された日時がすべて同一の日である場合、マーカー表示の位置は変更されることがなく、月単位や週単位等のカレンダー表示を表示するメリットも少ない。そこで、図１３の（Ｂ）のように、円状の再生情報画像ＧＤを設けて、撮像時刻等を示すものとしてもよい。
【０１５６】
再生情報画像ＧＤは、円周上に時および分を表す数字、または線分が配置されており、スライドショーの進行にあわせて円の中心部を支点として、回転しているように移動する１つ乃至２つの時刻を表すマーカーＧＤａと、撮像された画像それぞれの撮像時刻を円周上の位置に配置される撮像時刻マーカーＧＤｂによって構成されるアナログ時計を模した構成とする。これにより、短期間の定点観測においても撮像時刻とスライドショーの進行を同時に表現することが可能となる。
【０１５７】
このように撮像日時をそのまま使用して再生情報の表示を行うものとすれば、再生情報画像ＧＣや再生情報画像ＧＤから、定点観測で撮像された画像の再生がどのように行われているかおよび撮像画像の撮像日時がいつであるか容易に判別できるようになる。また、屋外での定点観測においては、撮像した時期や時刻によって観測対象における日光の当たり具合の変化なども生じる。しかし、撮影日時を判別できるので、同じ観測対象であってもその色合いや明るさなどの違いがどのような条件によるものなのかについての判断を容易に行えるようになる。
【０１５８】
さらに、第一の表現方法や第二の表現方法を用いて表示される再生情報を利用して、再生位置をユーザが指定できるようにすれば、所望の画像を容易に表示させることができる。例えば進行位置ポインタＧＢｂの位置やマーカーＧＤａが示す時刻をユーザが指定可能とすれば、注目すべき変化点を繰り返し見たい場合や変化の少ない場面から素早く次の画像に送りたい場合、ユーザは所望の位置に進行位置ポインタＧＢｂを移動させたり、マーカーＧＤａが示す時刻を所望の時刻に設定するだけで、所望の画像を容易に表示させることができる。
【０１５９】
再生制御部５６で上述のような処理を行うものとすると、表示部４１には、内部記録部３８に記録されている画像が、ユーザにより指定された再生時間で、撮像日時の順番に、各画像間の撮像間隔に比例した各画像の表示時間で、現在表示している画像について画像全体の撮像期間に対する時間的相対位置や撮像日時とあわせて表示される。
【０１６０】
なお、定点観測表示画像リストに基づいて、画像がスライドショー表示される場合、定点観測表示画像リストの最後の画像が表示部４１に表示された後、スライドショー表示が終了されるようにしてもよく、再び表示画像リストの先頭の画像が表示部４１に表示され、繰り返し表示画像リストの画像が順番に表示されるようにしてもよい。
【０１６１】
このように、内部記録部３８に記録されている画像ファイルの画像をスライドショー表示する場合、上述のように、インデックスファイルを参照して定点観測表示画像リストが生成されて、ユーザにより指定された条件に基づく再生時間と、各画像の撮像間隔に基づく各画像の表示時間と、全体の再生時間に対する現在の相対的位置や撮像日時が表示されるので、画像処理装置１１は、効果的に定点観測用に撮像された画像を表示させることができる。したがって、ユーザは、画像処理装置１１を用いることで、定点観測用に撮像した画像を、時間経過と画像の変化の相対関係を判断しやすいスライドショー表示として表示させることができる。
【０１６２】
なお、再生制御部５６が定点観測表示画像リストを参照して、画像をスライドショー表示させると説明したが、決定部５５が定点観測表示画像リストを生成せずに、画像を表示する順番と表示時間を決定して画像を検索し、再生制御部５６が、その検索結果に基づいて画像を表示させるようにしてもよい。
【０１６３】
例えば、内部記録部３８に記録されている画像ファイルを、スライドショー表示させるとき、ステップＳ２９２において、決定部５５は、インデックスファイル２０２を参照して、撮像日時と撮像間隔を検索し、検索された撮像日時順と撮像間隔に比例して表示されるように、画像の表示順と表示時間を決定する。そして、決定部５５は、決定した表示順と表示時間に基づいて、次に表示させる画像の画像ファイルを検索し、ステップＳ２９３において、再生制御部５６は、検索された画像ファイル２０３の画像を表示部４１に表示させるものとしてもよい。
【０１６４】
図９のステップＳ２９１において、内部記録部３８に記録されている画像ファイルの画像でないと判定された場合、リムーバブルメディア９１に記録されている画像ファイルの画像がスライドショー表示されるのでステップＳ２９４に進む。
【０１６５】
ステップＳ２９４で制御部５０の再生制御部５６は、リムーバブルメディア９１に記録されている画像ファイルの画像表示制御を行う。
【０１６６】
例えば、入力部６０から再生制御部５６にスライドショー表示を指示する入力信号が供給されて、スライドショー表示する画像がリムーバブルメディア９１に記録されている画像ファイルの画像である場合、再生制御部５６は、ＲＯＭ７２などから表示させる画像の画像ファイルが格納されているフォルダを指定するフォルダ指定画面を表示させるための画像データを取得して、この画像データを出力部４０の表示部４１に供給してフォルダ指定画面を表示させる。
【０１６７】
表示部４１にフォルダ指定画面が表示されると、ユーザは、入力部６０を操作して、表示させる画像の画像ファイルが格納されているフォルダを指定することができる。例えば、リムーバブルメディア９１に、図７に示した画像ファイル２３３が記録されている場合、ユーザが入力部６０を操作することで、フォルダ指定画面で示されているトップフォルダ２３１またはサブフォルダ２３２−１乃至サブフォルダ２３２−３のいずれかを指定することができるようになされている。
【０１６８】
再生制御部５６は、トップフォルダ２３１（サブフォルダ２３２）を指定するユーザ操作が行われたことを入力部６０からの入力信号に基づいて判別したとき、ＲＯＭ７２などから表示させる画像の１枚ごとの表示時間を指定させるための表示時間指定画面を表示させるための画像データを取得して、この画像データを出力部４０の表示部４１に供給して表示時間指定画面を表示させる。表示部４１に表示時間指定画面が表示されると、ユーザは、入力部６０を操作して、表示させる１枚ごとの表示時間を指定できる。
【０１６９】
再生制御部５６は、入力部６０からの入力信号に基づいてユーザが指定した１枚ごとの表示時間を判別したとき、トップフォルダ２３１（サブフォルダ２３２）に格納されている画像ファイル２３３の画像を、表示部４１に１枚ずつ順番に指定された表示時間ごとに表示させる。
【０１７０】
したがって、例えばトップフォルダ２３１に格納されている画像ファイル２３３において、撮像された順番が古い順に画像ファイル２３３−１乃至画像ファイル２３３−９であり、表示部４１に表示されている画像が画像ファイル２３３−８の画像である場合、再生制御部５６は、画像ファイル２３３−７乃至画像ファイル２３３−１の順番で、画像ファイル２３３をリムーバブルメディア９１から圧縮伸張処理部３７によって取得させる。また再生制御部５６は、取得させた画像ファイル２３３を必要に応じて圧縮伸張処理部３７によって伸張させて、表示部４１に画像を順番に表示させる。これにより、表示部４１には、画像ファイル２３３−７の画像乃至画像ファイル２３３−１の画像の順番で、指定された時間ごとに１枚ずつ画像が表示される。
【０１７１】
また、例えばユーザによってサブフォルダ２３２−３が指定された場合、再生制御部５６は、サブフォルダ２３２−３に格納されている画像ファイル２３３の画像を表示部４１に順番に表示させる。
【０１７２】
したがって、例えば、サブフォルダ２３２−３に格納されている画像ファイル２３３において、撮像された順番が古い順に画像ファイル２３３−７乃至画像ファイル２３３−９であり、表示部４１に表示されている画像が画像ファイル２３３−９の画像である場合、再生制御部５６は、画像ファイル２３３−８および画像ファイル２３３−７の順番で、画像ファイル２３３をリムーバブルメディア９１から圧縮伸張処理部３７によって取得させる。また再生制御部５６は、取得させた画像ファイル２３３を必要に応じて圧縮伸張処理部３７によって伸張させて、表示部４１に画像を順番に表示させる。これにより、表示部４１には、画像ファイル２３３−８の画像、および画像ファイル２３３−７の画像の順番で、指定された表示時間ごとに１枚ずつ画像が表示される。
【０１７３】
なお、リムーバブルメディア９１に記録されている画像ファイル２３３を基に、画像がスライドショー表示される場合、すべての画像が順番に表示された後、スライドショー表示が終了されるようにしてもよく、または再び先頭の画像が表示部４１に表示され、繰り返し画像が順番に表示されるようにしてもよい。
【０１７４】
このようにして、制御部５０は、リムーバブルメディア９１に記録されている画像ファイルを基に画像がスライドショー表示される場合、ユーザにより指定されたフォルダに格納されている画像ファイルの画像を、画像が撮像された順番に基づいて順番に指定された時間ごとに１枚ずつ表示させる。
【０１７５】
次に、図８においてステップＳ３０で定点撮像動画作成が選択された判定されたときに行われるステップＳ３１の動画生成処理について、図１４のフローチャートを用いて説明する。
【０１７６】
ステップＳ３１１で制御部５０の決定部５５は、動画生成の設定入力処理の結果に基づいて定点観測表示画像リストを生成する。決定部５５は、ユーザによって設定された条件を満たすように動画表示を行うときの画像の表示順と各画像を表示する時間を決定して、その表示順を示すリストである定点観測表示画像リストを生成する。
【０１７７】
ここで、再生制御部５６は、例えばＲＯＭ７２などから定点観測用の動画生成の条件を設定する表示条件設定画面の画像データを取得して出力部４０に供給して、出力部４０の表示部４１に表示条件設定画面を表示させる。決定部５５は、入力部６０からの入力信号に基づき、表示条件設定画面を利用して行われたユーザ操作がどのような表示設定を行ったか判別する。さらに、決定部５５は、内部記録部３８に記録されている画像ファイルの画像、すなわち時間順に撮像された複数の静止画像に対して、次の静止画像が撮像されるまでの撮像間隔に比例した時間割当てを行い、ユーザによって設定された条件を満たすように各静止画像の表示時間を決定する。なお、動画像データにおいて表示時間と等価である動画のコマ数を各画像の表示時間の代わりに算出してもよい。
【０１７８】
第一の決定方法を指定した場合、再生制御部５６は、ＲＯＭ７２などから画像ファイルすべての表示にかかる時間を指定する動画表示時間指定画面を表示させるための画像データを取得して出力部４０に供給することで、出力部４０の表示部４１に動画表示時間指定画面を表示させる。また、ＲＯＭ７２などから合成する表示を設定する合成表示設定画面を表示させるための画像データを取得して出力部４０に供給することで、出力部４０の表示部４１に合成表示設定画面を表示させる。このように動画表示時間指定画面や合成表示設定画面を表示させて、ユーザが画像ファイルすべての表示にかかる時間や再生情報を撮像画像と合成して表示させる設定を行えるようにする。
【０１７９】
第二の決定方法を指定した場合、再生制御部５６は、ＲＯＭ７２などから各画像の撮像間隔に基づく表示時間の最短時間を指定する最短時間指定画面を表示させるための画像データを取得して出力部４０に供給することで、出力部４０の表示部４１に最短時間指定画面を表示させる。このように、最短時間指定画面を表示させて、ユーザが各画像の撮像間隔に基づく表示時間の最短時間を指定できるようにする。
【０１８０】
さらに、再生制御部５６は、ユーザによって指定された最短時間から、全体を表示するための時間を算出して、算出された時間と、次の条件を入力するための選択肢と、再び表示時間の最短時間を指定する状態に戻るための選択肢を出力部４０の表示部４１に表示させてユーザが意図していないほどの長時間であった場合に、再び各画像の撮像間隔に基づく表示時間の最短時間を指定する状態に戻れるようにする。また、再生制御部５６は、ユーザが全体を表示する時間を確認にして次の条件を入力するための指示を行ったと判別したとき、ＲＯＭ７２などから合成する表示を設定する合成表示設定画面を表示させるための画像データを取得して出力部４０に供給することで、出力部４０の表示部４１に合成表示設定画面を表示させる。このように合成表示設定画面を表示させて、ユーザが再生情報を撮像画像に合成して表示させる設定を行えるようにする。
【０１８１】
このように第一の決定方法または第二の決定方法を用いて、各画像の表示時間（コマ数）を決定して定点観測表示画像リストを生成する。
【０１８２】
例えば、決定部５５は、インデックスファイル２０２を参照して、各画像の撮像日時の順番に並べ、各画像の表示時間（コマ数）と、全体の表示時間に対する各画像の表示時間割合とを関連付けた定点観測表示画像リストを生成する。
【０１８３】
なお、第一の決定方法または第二の決定方法がユーザによって選択された後には、再生情報を撮像画像と合成して表示するときの設定をユーザに行わせる。例えば、再生情報を撮像画像と合成して表示する場合、上述のように第一の表現方法または第二の表現方法のいずれを用いるか、ユーザに設定させる。
【０１８４】
ステップＳ３１２で制御部５０の再生制御部５６は、決定部５５が生成した定点観測表示画像リストに基づいて動画生成の入力信号の制御を行う。再生制御部５６は、定点観測表示画像リストの先頭の画像ファイルを内部記録部３８から圧縮伸張処理部３７によって取得させる。さらに、再生制御部５６は、画像ファイルに含まれる画像データを必要に応じて圧縮伸張処理部３７で伸張させてＲＡＭ３６に記憶させる。
【０１８５】
また、再生制御部５６は、合成用の表示の構成要素をＲＯＭ７２などから取得して、定点観測表示画像リストとスライドショーの経過時間に基づき再生情報の画像データを生成してＲＡＭ３６の所定の位置に記憶させる。
【０１８６】
記録制御部５３は、圧縮伸張処理部３７を制御してＲＡＭ３６に記憶されている画像データを順次取得して圧縮処理させて。圧縮処理後である動画像データを内部記録部３８またはリムーバブルメディア９１に動画像ファイルとして記録させる。
【０１８７】
圧縮伸張処理部３７は、ＲＡＭ３６から画像データを順次取得して、ＭＰＥＧ２などの方式で予め設定されている圧縮率で圧縮して、圧縮された動画像データを生成する。
【０１８８】
また、再生制御部５６は定点観測表示画像リストのうち、現在動画へ変換している画像の表示時間（動画コマ数）の動画生成が完了したら、リストの次の画像ファイルを内部記録部３８から圧縮伸張処理部３７よって取得させる。さらに、再生制御部５６は、画像ファイルに含まれる画像データを必要に応じて圧縮伸張処理部３７で伸張させてＲＡＭ３６に記憶させる。以下、定点観測表示画像リストの各画像の表示時間に応じて同様の処理を繰り返す。
【０１８９】
記録制御部５３は、すべての画像データを動画像データに変換する処理が完了したとき、生成した動画像データにより表示される動画像から所定の静止画像を抽出してサムネイル画像データを生成する。
【０１９０】
また、再生制御部５６は定点観測表示画像リストの各画像の表示時間（動画コマ数）を元に、生成された動画像データのサーチ情報として各画像の先頭位置のコマ数位置を画像ファイルに対応させて列挙したサーチインデックスリストを作成し、内部記録部３８またはリムーバブルメディア９１に記憶させる。
【０１９１】
また、再生制御部５６がサーチインデックスリストを作成させる代わりに、記録制御部５３が動画像データを記憶する際に汎用のアプリケーションフォーマット、例えばＤＶＤ−Ｖｉｄｅｏ、ＤＶＤ−ＶＲ、ＢＤＭＶ(Blu-ray Disk Movie)、ＢＤＡＶ(Blu-ray Disk Audio/Visual)、ＡＶＣＨＤ(Advanced Video Codec High Definition)などのアプリケーションフォーマットで動画像データと動画像データ内の各画像の先頭位置を示す情報を記憶させてもよい。
【０１９２】
これにより、内部記録部３８またはリムーバブルメディア９１には、内部記録部３８に記録されている画像が、ユーザにより指定された再生時間で、撮像日時の順番に、各画像間の撮像間隔に比例した各画像の表示時間で、画像全体の撮像期間に対する現在表示している画像の時間的相対位置や、撮像日時とあわせて、動画像ファイルとして記録される。
【０１９３】
このように、画像処理装置１１は、第一の決定方法では指定された動画表示時間ＴＰＴ、また第二の決定方法では指定された最短時間ＴＰｅや表示時間の合計の確認に基づき、撮像間隔と表示される時間が比例するように各画像の表示時間を割り当てて静止画像を動画像に変換する。したがって、ユーザは、変換後の動画像を再生したときに被写体の変化と時間の経過を同時に認識できるので、観測対象の変化量が時間の経過に起因するものであるか判別しやすくなる。また、スライドショー表示において撮像間隔と被写体の相関関係を認識できる効果を得ることができる。
【０１９４】
また、画像処理装置１１は、全体の撮像期間に対し、各画像の時間的相対位置や撮像日時の情報をグラフィカルな表示として撮像画像に合成して表示する。したがって、ユーザは、時間の経過または撮像時刻と、被写体の変化との相関関係を容易に理解することができる。また、撮像間隔が極端に開いており、特定の画像に対して長い表示時間が割り当てられても、その理由をユーザは容易に判別できる。
【０１９５】
さらに、画像処理装置１１は、定点観測表示画像リストを生成することから、この定点観測表示画像リストを利用することで、動画再生時に次の画像や前の画像への早送りや早戻し操作を容易に行うことが可能となる。また、生成した動画像ファイルや定点観測表示画像リストを再利用可能なフォーマットで保存することで、汎用の再生装置で同様な作用効果を得ることができ、また、記録するメディアがＨＤＤや、フラッシュメモリであっても、汎用の動画編集ソフトを用いて定点観測表示画像リストをそのまま取り込ませることができる。
【０１９６】
ところで、上述の実施の形態では、画像処理装置１１において、図４に示す撮像制御処理や図８に示す画像表示処理を行う場合について説明したが、撮像制御処理のみを実行する記録装置と、画像表示処理のみを実行する画像処理装置とを別々に設けるようにしてもよい。
【０１９７】
図１５は、撮像制御処理のみを行う画像処理装置の構成を示している。画像処理装置１２は、例えば、撮像部３１、ＡＤ変換部３２、マイクロフォン３３、ＡＤ変換部３４、信号処理部３５、ＲＡＭ３６、出力部４０、内部記録部３８、制御部５０、入力部６０、電源制御部７１、ＲＯＭ７２、ドライブ７３、および圧縮処理部３７ａを用いて構成されている。なお、画像処理装置１２の撮像部３１、ＡＤ変換部３２、マイクロフォン３３、ＡＤ変換部３４、信号処理部３５、ＲＡＭ３６、出力部４０、内部記録部３８、制御部５０、入力部６０、電源制御部７１、ＲＯＭ７２、およびドライブ７３のそれぞれは、図２の画像処理装置１１の撮像部３１、ＡＤ変換部３２、マイクロフォン３３、ＡＤ変換部３４、信号処理部３５、ＲＡＭ３６、出力部４０、内部記録部３８、制御部５０、入力部６０、電源制御部７１、ＲＯＭ７２、およびドライブ７３のそれぞれに対応するものである。
【０１９８】
圧縮処理部３７ａは、図２の画像処理装置１１の圧縮伸張処理部３７が行う処理のうち、画像データを圧縮する処理と同様の処理を行う。すなわち、圧縮処理部３７ａは、ＲＡＭ３６から供給された画像データを所定の方式にしたがって圧縮し、圧縮された画像データを生成する。また圧縮処理部３７ａは、生成した画像データを内部記録部３８またはリムーバブルメディア９１に供給する。
【０１９９】
また、画像処理装置１２は、撮像制御処理のみを実行するので、画像処理装置１２の制御部５０がプログラムを実行することにより実現される機能の構成は、例えば、図３に示す制御部５０の機能構成例のうち、決定部５５および再生制御部５６が削除されたものとなる。すなわち、画像処理装置１２の制御部５０は、図３に示した撮像制御部５１、判定部５２、記録制御部５３、およびインデックスファイル更新部５４から構成される。
【０２００】
図１６は、画像表示処理のみを行う画像処理装置の構成を示している。画像処理装置１３は、例えば、ＲＡＭ３６、出力部４０、内部記録部３８、制御部５０、入力部６０、電源制御部７１、ＲＯＭ７２、ドライブ７３、および伸張処理部３７ｂを用いて構成されている。なお、画像処理装置１１と画像処理装置１３は、ＲＡＭ３６、出力部４０、内部記録部３８、制御部５０、入力部６０、電源制御部７１、ＲＯＭ７２、およびドライブ７３が設けられている点において同一であり、画像処理装置１３には、画像処理装置１１の撮像部３１、ＡＤ変換部３２、マイクロフォン３３、ＡＤ変換部３４、信号処理部３５が設けられていない点において相違するものである。
【０２０１】
なお、画像処理装置１３のＲＡＭ３６、出力部４０、圧縮伸張処理部３７、内部記録部３８、制御部５０、入力部６０、電源制御部７１、ＲＯＭ７２、およびドライブ７３のそれぞれは、画像処理装置１１のＲＡＭ３６、出力部４０、圧縮伸張処理部３７、内部記録部３８、制御部５０、入力部６０、電源制御部７１、ＲＯＭ７２、およびドライブ７３のそれぞれに対応するものである。
【０２０２】
画像処理装置１３は、画像表示処理のみを実行するので、画像処理装置１３の制御部５０がプログラムを実行することにより実現される機能の構成は、例えば、図３に示す制御部５０の機能構成例のうち、撮像制御部５１、およびインデックスファイル更新部５４が削除されたものとなる。すなわち、画像処理装置１３の制御部５０は、図３に示した判定部５２、記録制御部５３、決定部５５、および再生制御部５６から構成される。
【０２０３】
以上のように、本発明においては、定点観測用に撮像された画像が記録されている内部記録部３８の画像ファイルを基に画像がスライドショー表示される場合、インデックスファイルを参照して定点観測表示画像リストを生成し、ユーザにより指定された条件に基づく再生時間と、各画像の撮像間隔に基づく各画像の表示時間と、全体の再生時間に対する現在の相対的位置や撮像日時を表示させるようにしたので、画像処理装置１１は、より効果的に定点観測用に撮像された画像を表示させることができる。したがってユーザは、定点観測用に撮像した画像を、時間経過と画像の変化の相対関係を判断しやすいスライドショー表示させることができる。
【０２０４】
図１７は、上述した一連の処理をプログラムにより実行するコンピュータ装置の構成例を示すブロック図である。コンピュータ装置８１のＣＰＵ８１１は、ＲＯＭ８１２、または記録部８１８に記録されているコンピュータ・プログラムにしたがって各種の処理を実行する。
【０２０５】
ＲＡＭ８１３には、ＣＰＵ８１１が実行するコンピュータ・プログラムやデータなどが適宜記憶される。これらのＣＰＵ８１１、ＲＯＭ８１２、およびＲＡＭ８１３は、バス８１４により相互に接続されている。
【０２０６】
ＣＰＵ８１１にはまた、バス８１４を介して入出力インターフェース８１５が接続されている。入出力インターフェース８１５には、キーボード、マウス、マイクロフォンなどよりなる入力部８１６、ディスプレイ、スピーカなどよりなる出力部８１７が接続されている。ＣＰＵ８１１は、入力部８１６から入力される指令に対応して各種の処理を実行する。
そして、ＣＰＵ８１１は、処理の結果を出力部８１７に出力する。
【０２０７】
入出力インターフェース８１５に接続されている記録部８１８は、例えばハードディスクからなり、ＣＰＵ８１１が実行するコンピュータ・プログラムや各種のデータを記録する。通信部８１９は、インターネットやローカルエリアネットワークなどのネットワークを介して外部の装置と通信する。
【０２０８】
また、通信部８１９を介してコンピュータ・プログラムを取得し、記録部８１８に記録してもよい。入出力インターフェース８１５に接続されているドライブ８２０は、磁気ディスク、光ディスク、光磁気ディスク、あるいは半導体メモリなどのリムーバブルメディア９２が装着されたとき、それらを駆動し、そこに記録されているコンピュータ・プログラムやデータなどを取得する。取得されたコンピュータ・プログラムやデータは、必要に応じて記録部８１８に転送され、記録される。
【０２０９】
上述した一連の処理は、ハードウエアにより実行させることもできるし、ソフトウエアにより実行させることもできる。一連の処理をソフトウエアにより実行させる場合には、そのソフトウエアを構成するコンピュータ・プログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２１０】
コンピュータにインストールされ、コンピュータによって実行可能な状態とされるコンピュータ・プログラムを格納するプログラム記録媒体は、磁気ディスク（フレキシブルディスクを含む）、光ディスク（ＣＤ-ＲＯＭ(Compact Disc-Read Only Memory)，ＤＶＤ(Digital Versatile Disc)を含む）、光磁気ディスクを含む）、もしくは半導体メモリ等のパッケージメディアであるリムーバブルメディア９２、または、プログラムが一時的もしくは永続的に格納されるＲＯＭ８１２や、記録部８１８を構成するハードディスクなどにより構成される。プログラム記録媒体へのコンピュータ・プログラムの格納は、必要に応じてルータ、モデムなどのインターフェースである通信部８１９を介して、ローカルエリアネットワーク、インターネット、デジタル衛星放送といった、有線または無線の通信媒体を利用して行われる。
【０２１１】
なお、プログラム記録媒体に格納されるコンピュータ・プログラムは、上述の記載で示された順序に沿って時系列的に行われる処理はもちろん、必ずしも時系列的に処理されなくとも、並列的あるいは個別に実行される処理をも含むものである。
【０２１２】
なお、本発明の実施の形態は、上述した実施の形態に限定されるものではなく、本発明の要旨を逸脱しない範囲において種々の変更が可能である。
【産業上の利用可能性】
【０２１３】
この発明は、複数の静止画像から動画像を生成することができるものであり、例えば定点観測等において撮像間隔が異なる場合であっても、観測対象の動きを時間の経過にあわせて提示するときに有用である。
【図面の簡単な説明】
【０２１４】
【図１】画像処理装置の外観を示す図である。
【図２】画像処理装置の構成を示すブロック図である。
【図３】制御部の機能ブロック図である。
【図４】撮像制御処理を示すフローチャートである。
【図５】内部記録部に画像ファイルを記録する場合のトップフォルダの構成を例示した図である。
【図６】インデックスファイルの付属情報を例示した図である。
【図７】リムーバブルメディアに画像ファイルを記録する場合のトップフォルダの構成を例示した図である。
【図８】画像表示処理を示すフローチャートである。
【図９】スライドショー表示処理を示すフローチャートである。
【図１０】第一の決定方法を用いて算出した表示時間と表示時間割合を例示した図である。
【図１１】第二の決定方法を用いて算出した表示時間と表示時間割合を例示した図である。
【図１２】第一の表現方法を用いた再生情報画像を例示した図である。
【図１３】第二の表現方法を用いた再生情報画像を例示した図である。
【図１４】動画生成処理を示すフローチャートである。
【図１５】撮像制御処理のみを行う画像処理装置の構成を示す図である。
【図１６】画像表示処理のみを行う画像処理装置の構成を示す図である。
【図１７】コンピュータ装置の構成を示す図である。
【符号の説明】
【０２１５】
１１，１２，１３・・・画像処理装置、２１，２２・・・本体、３１・・・撮像部、３２，３４・・・ＡＤ変換部、３３・・・マイクロフォン、３５・・・信号処理部、３６，８１３・・・ＲＡＭ、３７・・・圧縮伸張処理部、３７ａ・・・圧縮処理部、３７ｂ・・・伸張処理部、３８・・・内部記録部、４０・・・出力部、４１・・・表示部、４２・・・音声出力部、５０・・・制御部、５１・・・撮像制御部、５２・・・判定部、５３・・・記録制御部、５４・・・インデックスファイル更新部、５５・・・決定部、５６・・・再生制御部、６０，８１６・・・入力部、６１・・・モード切換ボタン、６２・・・シャッタボタン、６３・・・録画ボタン、６５，６５−１〜６５−４・・・十字キー、６６・・・決定ボタン、６７・・・シャトル、７１・・・電源制御部、７２，８１２・・・ＲＯＭ、７３，８２０・・・ドライブ、７５，８１４・・・バス、８１・・・コンピュータ装置、９１，９２・・・リムーバブルメディア、２０１，２３１・・・トップフォルダ、２０２・・・インデックスファイル、２０３、２０３−１〜２０３−６，２３３，２３３−１〜２３３−９・・・画像ファイル、２０４，２０４−１〜２０４−６，２３４，２３４−１〜２３４−９・・・サムネイル画像データ、２３２，２３２−１〜２３２−３・・・サブフォルダ、８１５・・・入出力インターフェース、８１７・・・出力部、８１８・・・記録部、８１９・・・通信部
【図１】
2009272790.tif 000003
【図２】
2009272790.tif 000004
【図３】
2009272790.tif 000005
【図４】
2009272790.tif 000006
【図５】
2009272790.tif 000007
【図６】
2009272790.tif 000008
【図７】
2009272790.tif 000009
【図８】
2009272790.tif 000010
【図９】
2009272790.tif 000011
【図１０】
2009272790.tif 000012
【図１１】
2009272790.tif 000013
【図１２】
2009272790.tif 000014
【図１３】
2009272790.tif 000015
【図１４】
2009272790.tif 000016
【図１５】
2009272790.tif 000017
【図１６】
2009272790.tif 000018
【図１７】
2009272790.tif 000019